(57)【要約】【課題】受信側においてコンテンツデータに同期した表示処理等を容易に行う。【解決手段】カムコーダ２００は、テレビ３００に、ＨＤＭＩケーブル７０１のＴＭＤＳラインを介して、再生コンテンツデータを送信する。カムコーダ２００は、テレビ３００に、例えば、再生コンテンツデータの送信に先立って、ケーブル７０１内の双方向通信路を介して、再生コンテンツデータに同期した表示処理を行うための処理情報を送信する。処理情報には、処理単位毎に、インデックス情報が付加されている。再生コンテンツデータには、各処理単位の処理情報による処理のタイミングに合わせて、当該処理情報に付加されているインデックス情報に対応したインデックス情報が付加されている。テレビ３００は、受信コンテンツデータにおけるインデックス情報の付加タイミングで、当該インデックス情報に対応した処理情報に基づいて、撮影場所、日時等を、画像に重畳する。【選択図】図１
2009272791.tif 000002
【特許請求の範囲】
【請求項１】
外部機器に第１の伝送路を介して、コンテンツデータを送信するデータ送信部と、
上記外部機器に、第２の伝送路を介して、上記コンテンツデータに同期した処理を行うための処理情報を送信する情報送信部とを備え、
上記情報送信部で送信される処理情報には、処理単位毎にインデックス情報が付加されており、
上記データ送信部で送信されるコンテンツデータに、上記情報送信部で送信される各処理単位の処理情報による処理のタイミングに合わせて、該処理情報に付加されている上記インデックス情報に対応したインデックス情報が付加されている
送信装置。
【請求項２】
上記データ送信部は、上記外部機器に、上記コンテンツデータを、複数チャネルで、差動信号により、上記第１の伝送路を介して送信する
請求項１に記載の送信装置。
【請求項３】
上記第２の伝送路は、上記第１の伝送路の所定ラインを用いて構成された双方向通信路であり、
上記情報送信部は、上記外部機器に上記双方向通信路を介して、上記処理情報を送信する
請求項２に記載の送信装置。
【請求項４】
上記双方向通信路は一対の差動伝送路であり、該一対の差動伝送路のうち少なくとも一方は直流バイアス電位によって上記外部機器の接続状態を通知する機能を有する
請求項３に記載の送信装置。
【請求項５】
上記データ送信部で送信されるコンテンツデータは画像データを含み、
上記情報送信部で送信される処理情報は、上記画像データによる画像に所定の情報を重畳表示するための情報である
請求項１に記載の送信装置。
【請求項６】
上記データ送信部で送信されるコンテンツデータは音声データを含み、
上記情報送信部で送信される処理情報は、上記音声データによる音声出力を制御するための情報である
請求項１に記載の送信装置。
【請求項７】
外部機器に、コンテンツデータに同期した処理を行うための、処理単位毎にインデックス情報が付加された処理情報を送信する情報送信ステップと、
上記外部機器に、上記情報送信ステップで送信された各処理単位の処理情報による処理のタイミングに合わせて、該処理情報に付加されている上記インデックス情報に対応したインデックス情報が付加された上記コンテンツデータを送信するデータ送信ステップと
を有する情報送信方法。
【請求項８】
外部機器から、第２の伝送路を介して、コンテンツデータに同期した処理を行うための処理単位毎にインデックス情報が付加された処理情報を受信する、インデックス情報が付加された処理情報を受信する情報受信部と、
上記外部機器から、第１の伝送路を介して、上記情報受信部で受信された各処理単位の処理情報による処理のタイミングに合わせて、該処理情報に付加されている上記インデックス情報に対応したインデックス情報が付加された上記コンテンツデータを受信するデータ受信部と、
上記情報受信部で受信された各処理単位の処理情報による処理を、上記データ受信部で受信されたコンテンツデータに付加されたインデックス情報に基づいて行う情報処理部と
を備える受信装置。
【請求項９】
上記データ受信部は、上記外部機器から、上記コンテンツデータを、複数チャネルで、差動信号により、上記第１の伝送路を介して受信する
請求項８に記載の受信装置。
【請求項１０】
上記第２の伝送路は、上記第１の伝送路の所定ラインを用いて構成された双方向通信路であり、
上記情報受信部は、上記外部機器から、上記双方向通信路を介して、上記処理情報を受信する
請求項９に記載の受信装置。
【請求項１１】
上記双方向通信路は一対の差動伝送路であり、該一対の差動伝送路のうち少なくとも一方は直流バイアス電位によって上記外部機器の接続状態を通知する機能を有する
請求項１０に記載の受信装置。
【請求項１２】
上記データ受信部で受信されるコンテンツデータは画像データを含み、
上記情報受信部で送信される処理情報は、上記画像データによる画像に所定の情報を重畳表示するための情報である
請求項８に記載の送信装置。
【請求項１３】
上記データ受信部で受信されるコンテンツデータは音声データを含み、
上記情報受信部で送信される処理情報は、上記音声データによる音声出力を制御するための情報である
請求項８に記載の受信装置。
【請求項１４】
外部機器から、コンテンツデータに同期した処理を行うための処理単位毎にインデックス情報が付加された処理情報を受信する、インデックス情報が付加された処理情報を受信する情報受信ステップと、
上記外部機器から、上記情報受信ステップで受信された各処理単位の処理情報による処理のタイミングに合わせて、該処理情報に付加されている上記インデックス情報に対応したインデックス情報が付加された上記コンテンツデータを受信するデータ受信ステップと、
上記情報受信ステップで受信された各処理単位の処理情報による処理を、上記データ受信ステップで受信されたコンテンツデータに付加されたインデックス情報に基づいて行う情報処理ステップと
を有する情報処理方法。
【発明の詳細な説明】
【技術分野】
【０００１】
この発明は、送信装置、情報送信方法、受信装置および情報処理方法に関する。詳しくは、この発明は、第１の伝送路でコンテンツデータを送信し、第２の伝送路でコンテンツデータに同期した処理を行うための処理情報を送信する際、処理情報には処理単位毎にインデックス情報を付加し、コンテンツデータには各処理単位の処理情報による処理のタイミングに合わせてインデックス情報を付加することにより、受信側においてコンテンツデータに同期した処理を容易に行い得るようにした送信装置等に係るものである。
【背景技術】
【０００２】
近年、例えば、ＤＶＤ(Digital Versatile Disc)レコーダや、セットトップボックス、その他のＡＶソース（Audio Visual source）から、テレビ受信機、プロジェクタ、その他のディスプレイに対して、デジタル映像信号と、その映像信号に付随するデジタル音声信号とを、高速に伝送する通信インタフェースとして、ＨＤＭＩ（High Definition Multimedia Interface）が普及しつつある（例えば、特許文献１参照）。
【特許文献１】特開２００６−３１９５０３号公報
【発明の開示】
【発明が解決しようとする課題】
【０００３】
ＨＤＭＩによる画像や音声のデータの送信に伴って、これらのデータに関連した処理情報を、イーサネット（登録商標）を通じて、送信することが考えられる。この場合、ＨＤＭＩで送信される画像や音声のデータと、イーサネットで送信される処理情報との間に同期関係はない。そのため、受信側で、処理情報による処理を、画像や音声のデータに同期させて行うことが困難であった。
【０００４】
この発明の目的は、受信側でコンテンツデータに同期した処理を容易に行い得るようにすることにある。
【課題を解決するための手段】
【０００５】
この発明の概念は、
外部機器に第１の伝送路を介して、コンテンツデータを送信するデータ送信部と、
上記外部機器に、第２の伝送路を介して、上記コンテンツデータに同期した処理を行うための処理情報を送信する情報送信部とを備え、
上記情報送信部で送信される処理情報には、処理単位毎にインデックス情報が付加されており、
上記データ送信部で送信されるコンテンツデータに、上記情報送信部で送信される各処理単位の処理情報による処理のタイミングに合わせて、該各処理情報に付加されている上記インデックス情報に対応したインデックス情報が付加されている
送信装置にある。
【０００６】
また、この発明の概念は、
外部機器から、第２の伝送路を介して、コンテンツデータに同期した処理を行うための処理単位毎にインデックス情報が付加された処理情報を受信する、インデックス情報が付加された処理情報を受信する情報受信部と、
上記外部機器から、第１の伝送路を介して、上記情報受信部で受信された各処理単位の処理情報による処理のタイミングに合わせて、該処理情報に付加されている上記インデックス情報に対応したインデックス情報が付加された上記コンテンツデータを受信するデータ受信部と、
上記情報受信部で受信された各処理単位の処理情報による処理を、上記データ受信部で受信されたコンテンツデータに付加されたインデックス情報に基づいて行う情報処理部と
を備える受信装置にある。
【０００７】
送信装置においては、データ送信部により、外部機器（受信装置）に、コンテンツデータが第１の伝送路を介して送信され、情報送信部により、当該コンテンツに同期した処理を行うための処理情報が第２の伝送路を介して送信される。
【０００８】
例えば、コンテンツデータは第１の伝送路を通じて、複数チャネルで、差動信号により、外部機器に送信される。また、例えば、第２の伝送路は、第１の伝送路の所定ラインを用いて構成された双方向通信路であり、処理情報は当該双方向通信路を介して外部機器に送信される。例えば、双方向通信路は一対の差動伝送路であり、この一対の差動伝送路のうち少なくとも一方は直流バイアス電位によって外部機器の接続状態を通知する機能を有するもの（ＨＤＭＩケーブルのＨＰＤライン等）とされる。
【０００９】
例えば、データ送信部で外部機器に送信されるコンテンツデータは画像データを含み、情報送信部で送信される処理情報は当該画像データによる画像に所定の情報を重畳するための情報とされる。また、例えば、データ送信部で外部機器に送信されるコンテンツデータは音声データを含み、情報送信部で送信される処理情報は当該音声データによる音声出力を制御するための情報とされる。
【００１０】
情報送信部で送信される処理情報には、処理単位毎に、インデックス情報が付加される。また、データ送信部で送信されるコンテンツデータには、情報送信部で送信される各処理単位の処理情報による処理のタイミングに合わせて、当該各処理単位の処理情報に付加されているインデックス情報に対応したインデックス情報が付加される。
【００１１】
受信装置においては、情報受信部により、上述したように外部機器（送信装置）から第２の伝送路を介して送られてくる処理情報が受信され、データ受信部により、上述したように第１の伝送路を介して送られてくるコンテンツデータが受信される。そして、情報処理部により、情報受信部で受信された各処理単位の処理情報による処理が、データ受信部で受信されたコンテンツデータに付加されたインデックス情報に基づいて行われる。
【００１２】
上述したように、この発明においては、送信装置から受信装置に、第１の伝送路でコンテンツデータを送信し、第２の伝送路でコンテンツデータに同期した処理を行うための処理情報を送信する際に、処理情報には処理単位毎にインデックス情報が付加され、コンテンツデータには各処理単位の処理情報による処理のタイミングに合わせてインデックス情報が付加されるため、受信装置においてコンテンツデータに同期した処理を容易に行うことができる。
【００１３】
例えば、コンテンツデータは画像データを含み、処理情報は当該画像データによる画像に所定の情報を重畳するための情報である場合には、例えば、あるインデックス情報が付加された画像データによる画像が表示される際に、当該インデックス情報が付加されている処理単位の処理情報に基づいて、表示画像に、所定の情報、例えば撮影場所、撮影日時等のＥｘｉｆ（Exchangeable Image File Format）情報を重畳できる。
【００１４】
また、例えば、コンテンツデータは音声データを含み、処理情報は音声データによる音声出力を制御するための情報である場合には、例えば、音声データのインデックス情報の付加タイミングで、音声出力をミューティングでき、あるいはミューティングを解除できる。
【発明の効果】
【００１５】
この発明によれば、第１の伝送路でコンテンツデータを送信し、第２の伝送路でコンテンツデータに同期した処理を行うための処理情報を送信する際、処理情報には処理単位毎にインデックス情報を付加し、コンテンツデータには各処理単位の処理情報による処理のタイミングに合わせてインデックス情報を付加するものであり、受信側においてコンテンツデータに同期した処理を容易に行うことができる。
【発明を実施するための最良の形態】
【００１６】
以下、図面を参照しながら、この発明の実施の形態について説明する。図１は、実施の形態としてのＡＶシステム１００の構成例を示している。
【００１７】
このＡＶシステム１００は、ビデオカメラレコーダ（カムコーダ）２００と、テレビ受信機３００とを有している。ビデオカメラレコーダ２００は、ＨＤＭＩのソース機器を構成している。テレビ受信機３００は、ＨＤＭＩのシンク機器を構成している。
【００１８】
ビデオカメラレコーダ２００は、ＨＤＭＩケーブル７０１を介して、テレビ受信機３００に接続されている。ビデオカメラレコーダ２００には、ＨＤＭＩ送信部（ＨＤＭＩＴＸ）２０２および高速データラインインタフェース２０３が接続されたＨＤＭＩ端子２０１が設けられている。テレビ受信機３００には、ＨＤＭＩ受信部（ＨＤＭＩ ＲＸ）３０２および高速データラインインタフェース３０３が接続されたＨＤＭＩ端子３０１が設けられている。ＨＤＭＩケーブル７０１の一端はビデオカメラレコーダ２００のＨＤＭＩ端子２０１に接続され、このＨＤＭＩケーブル７０１の他端はテレビ受信機３００のＨＤＭＩ端子３０１に接続されている。
【００１９】
図１に示すＡＶシステム１００において、ビデオカメラレコーダ２００からテレビ受信機３００に、再生されたコンテンツデータ（画像データ、音声データ）が送信される。このコンテンツデータは、ビデオカメラレコーダ２００のＨＤＭＩ送信部２０２から、ＨＤＭＩケーブル７０１のＴＭＤＳ（Transition Minimized Differential Signaling）ラインを介して、テレビ受信機３００のＨＤＭＩ受信部３０２に送信される。テレビ受信機３００には、ビデオカメラレコーダ２００から送られてくるコンテンツデータにより、画像が表示され、音声が出力される。ここで、ＨＤＭＩケーブル７０１は、第１の伝送路を構成している。また、ＨＤＭＩ送信部２０２はデータ送信部を構成し、ＨＤＭＩ受信部３０２はデータ受信部を構成している。
【００２０】
また、図１に示すＡＶシステム１００において、ビデオカメラレコーダ２００からテレビ受信機３００に、コンテンツデータに同期した処理、この実施の形態においては、撮影場所、撮影日時等（Ｅｘｉｆ情報）の表示処理を行うための処理情報が送信される。この処理情報には、当該処理情報が表示処理を行うための処理情報であることを示す情報、および、撮影場所、撮影日時等の表示内容を示す情報が含まれている。この処理情報は、ビデオカメラレコーダ２００からテレビ受信機３００に、ＨＤＭＩケーブル７０１の所定ラインを用いて構成される双方向通信路を介して、送信される。
【００２１】
この実施の形態において、双方向通信路は、ＨＤＭＩケーブル７０１を構成するリザーブラインおよびＨＰＤ（Hot Plug Detect）ラインを用いて構成された一対の差動伝送路とされる。ここで、双方向通信路は、第２の伝送路を構成している。ビデオカメラレコーダ２００の高速データラインインタフェース２０３およびテレビ受信機３００の高速データラインインタフェース３０３は、上述の双方向通信路のインタフェースである。高速データラインインタフェース２０３は情報送信部を構成し、高速データラインインタフェース３０３は情報受信部を構成している。
【００２２】
ビデオカメラレコーダ２００からテレビ受信機３００に送信される処理情報には、処理単位毎に、インデックス情報、例えばインデックス番号が付加される。そして、ビデオカメラレコーダ２００からテレビ受信機３００に送信されるコンテンツデータには、各処理単位の処理情報による処理のタイミングに合わせて、当該処理情報に付加されているインデックス情報に対応したインデックス情報が付加される。
【００２３】
図１に示すＡＶシステム１００においては、上述したように、テレビ受信機３００には、テレビカメラレコーダ２００から送信されてくる画像データによる画像が表示される。図１に示すＡＶシステム１００においては、この表示画像に重ねて、再生コンテンツデータに付加されたインデックス情報に基づいて、例えば撮影場所、撮影日時等が、適宜なタイミングで表示される。例えば、あるインデックス情報が付加されたフレームタイミングで、当該インデックス情報が付加されている処理単位の処理情報に基づいて、表示画像に、その表示画像に対応した撮影場所、撮影日時等を示す文字が重畳される。
【００２４】
なお、テレビ受信機３００において、ユーザによる情報表示モードのＯＮ／ＯＦＦ設定を可能とし、情報表示モードがＯＮ状態に設定されているとき、上述したように、再生コンテンツデータに付加されたインデックス情報に基づいて、表示画像に撮影場所、撮影日時等を示す文字が重ねて表示される、ようにしてもよい。
【００２５】
図２は、ビデオカメラレコーダ２００の構成例を示している。ビデオカメラレコーダ２００は、ＨＤＭＩ端子２０１と、ＨＤＭＩ送信部２０２と、高速データラインインタフェース２０３と、イメージャ２１０と、イメージャドライバ２１１と、撮像処理回路２１２と、カメラ制御ＣＰＵ２１３と、静止画像処理回路２１４と、動画像処理回路２１５と、メモリカード２１６と、記録再生回路２１７と、記録メディア２１８とを有している。
【００２６】
また、ビデオカメラレコーダ２００は、システム制御ＣＰＵ２２０と、フラッシュＲＯＭ２２１と、ＳＤＲＡＭ２２２と、キー２２３と、マイクロホン２３０と、音声処理回路２３１と、ＬＣＤ（Liquid Crystal Display）コントローラ２３２と、ＬＣＤパネル２３３と、タッチパネル２３４と、座標検出部２３５と、イーサネットインタフェース（Ethernet I/F）２３６と、ネットワーク端子２３７とを有している。なお、「イーサネット」および「Ｅｔｈｅｒｎｅｔ」は、登録商標である。
【００２７】
イメージャ２１０は、例えば、Ｃ−ＭＯＳ撮像素子、あるいはＣＣＤ撮像素子により構成される。イメージャドライバ２１１は、イメージャ２１０を駆動する。撮像処理回路２１２は、イメージャ２１０で得られる撮像信号を処理して、被写体に対応した映像信号（撮像画像データ）を生成する。カメラ制御ＣＰＵ２１３は、イメージャドライバ２１１および撮像処理回路２１２の動作を制御する。
【００２８】
静止画像処理回路２１４は、静止画の撮像時、撮像処理回路２１２で得られた画像データに対して、例えばＪＰＥＧ（Joint Photographic Experts Group）方式の圧縮符号化処理を施して、静止画像データを生成する。また、この静止画像処理回路２１４は、生成した静止画像データを、メモリカード２１６に書き込み、あるいはシステム制御ＣＰＵ２２０を経由してフラッシュＲＯＭ２２１に書き込む。
【００２９】
また、静止画像処理回路２１４は、インデックス用の静止画像データであるサムネイルのデータを生成し、メモリカード２１６に記録する。このサムネイルは、後述するように記録メディア２１８に記録される各映像信号に対応して生成される。このサムネイルは、例えば、再生時において、再生すべき映像信号をユーザに選択させるために使用されるＧＵＩ画面用の表示信号を作成するために使用される。
【００３０】
音声処理回路２３１は、マイクロホン２３０で得られた音声信号に対して、Ａ／Ｄ変換等の処理を施して、撮像画像データに対応した音声データを得る。動画像処理回路２１５は、動画の撮像時、撮像処理回路２１２で得られた画像データに対して、音声処理回路２３１で得られた音声データと共に、記録メディアフォーマットに準じた圧縮符号化等の処理を施し、音声データが付加された動画像データを生成する。
【００３１】
記録再生回路２１７は、動画の撮像時、動画像処理回路２１５で生成された動画像データを、装填された記録メディア２１８に記録する。また、記録再生回路２１７は、動画の再生時、記録メディア２１８から動画像データを読み出し、復号化処理等を施して、再生画像データを得る。例えば、記録メディア２１８としては、光ディスク、ハードディスク、磁気テープ、半導体メモリなどが適用可能である。
【００３２】
ＬＣＤコントローラ２３２は、撮像処理回路２１２で得られた撮像画像データ、または記録再生回路２１７で生成された再生画像データに基づいて、ＬＣＤパネル２３３を駆動し、当該ＬＣＤパネル２３３に撮像画像（動画像）または再生画像（動画像）を表示する。また、ＬＣＤコントローラ２３２は、メモリカード２１６等から得られた再生画像データに基づいて、ＬＣＤパネル２３３を駆動し、当該ＬＣＤパネル２３３に、再生画像（静止画像）を表示する。
【００３３】
なお、システム制御ＣＰＵ２２０は、ＬＣＤコントローラ２３２に供給される画像データ（映像信号）に、例えば、動画像処理回路２１５において、ＧＵＩ（graphical user interface）画面用の表示信号を重畳する。このＧＵＩ画面用の表示信号は、再生時にあっては、再生動作等をユーザが操作するために使用されるＧＵＩ画面用の表示信号である。また、ＧＵＩ画面用の表示信号は、撮像時にあっては、撮像動作、記録動作等をユーザが操作するために使用されるＧＵＩ画面用の表示信号である。
【００３４】
ＬＣＤコントローラ２３２に供給される画像データにＧＵＩ画面用の表示信号が重畳されることで、ＬＣＤパネル２３３に表示される撮像画像、あるいは再生画像は、ＧＵＩ画面が重畳されたものとなる。そのため、ユーザは、ＬＣＤパネル２３３上に配置されたタッチパネル２３４を用いて、撮像時においては撮像動作、記録動作等、再生時においては再生動作等を操作可能となる。
【００３５】
タッチパネル２３４は、ＬＣＤパネル２３３の画面上の位置を指定する位置指定部を構成しており、ＬＣＤパネル２３３の画面上に配置されている。このタッチパネル２３４は、座標検出部２３５を介してシステム制御ＣＰＵ２２０に接続されている。ユーザは、タッチパネル２３４を、指で直接触れるか、あるいはペンで触れるかして、画面上の位置を指定できる。
【００３６】
システム制御ＣＰＵ２２０は、静止画像処理回路２１４、動画像処理回路２１５、記録再生回路２１７等の動作を制御する。システム制御ＣＰＵ２２０には、フラッシュＲＯＭ２２１、ＳＤＲＡＭ２２２およびキー２２３が接続されている。フラッシュＲＯＭ２２１は、システム制御ＣＰＵ２２０の制御プログラム等を記憶している。また、ＳＤＲＡＭ２２２は、システム制御ＣＰＵ２２０の制御処理で必要なデータの一時記憶等に用いられる。
【００３７】
キー２２３は、上述したタッチパネル２３４と共に、ユーザ操作部を構成している。システム制御ＣＰＵ２２０は、キー２２３の操作状態、あるいはタッチパネル２３４で指定された画面上の位置の情報（座標情報）を判断し、ビデオカメラレコーダ２００の動作を制御する。ユーザは、キー２２３により、撮像（記録）動作、再生動作等の操作を行うことができる。
【００３８】
ＨＤＭＩ送信部２０２は、ＨＤＭＩに準拠した通信により、ベースバンドの画像データ（映像信号）および音声データ（音声信号）を、ＨＤＭＩ端子２０１からＨＤＭＩケーブルに送出する。メモリカード２１６または記録メディア２１８から再生されたコンテンツデータ（画像データ、音声データ）は、システム制御ＣＰＵ２２０を介してＨＤＭＩ送信部２０２に供給される。ＨＤＭＩ送信部２０２の詳細は後述する。
【００３９】
高速データラインインタフェース２０３は、上述したように、ＨＤＭＩ端子２０１に接続されるＨＤＭＩケーブルの所定ライン（この実施の形態においては、リザーブラインおよびＨＰＤライン）により構成された双方向通信路のインタフェースである。この高速データラインインタフェース２０３は、イーサネットインタフェース２３６とＨＤＭＩ端子２０１との間に挿入されている。なお、イーサネットインタフェース２３６には、ネットワーク端子２３７が接続されている。
【００４０】
高速データラインインタフェース２０３は、システム制御ＣＰＵ２２０からイーサネットインタフェース２３３を介して供給される送信データを、ＨＤＭＩ端子２０１からＨＤＭＩケーブルに出力する。また、この高速データラインインタフェース２０３は、ＨＤＭＩケーブルからＨＤＭＩ端子２０１を介して受信された受信データを、イーサネットインタフェース２３６を介してシステム制御ＣＰＵ２２０に供給する。この高速データラインインタフェース２０３の詳細は後述する。
【００４１】
図２に示すビデオカメラレコーダ２００の動作を説明する。
【００４２】
イメージャ２１０で得られた撮像信号は撮像処理回路２１２に供給されて処理され、この撮像処理回路２１２からは被写体に対応した画像データ（撮像画像データ）が得られる。静止画撮像時には、静止画像処理回路２１４では、撮像処理回路２１２から出力される画像データに対して、圧縮符号化処理等が施されて、静止画像データが生成される。この静止画像データは、メモリカード２１６等に記録される。
【００４３】
また、動画撮像時には、動画像処理回路２１５では、撮像処理回路２１２から出力される画像データに対して、音声処理回路２３１から出力される音声データと共に、記録メディアフォーマットに準じた圧縮符号化等の処理が施され、音声データが付加された動画像データが生成される。この動画像データは、記録再生回路２１７により、記録メディア２１８に記録される。
【００４４】
静止画および動画の撮像時には、ＬＣＤコントローラ２３２に、撮像動作、記録動作等をユーザが操作するために使用されるＧＵＩ画面用の表示信号が重畳された撮像映像信号が供給され、ＬＣＤパネル２３３にＧＵＩ画面が重畳された撮像画像が表示される。そのため、ユーザは、ＬＣＤパネル２３３上に配置されたタッチパネル２３４を用いて、撮像動作、記録動作等を操作できる。なお、ユーザは、キー２２３を用いても同様に撮像動作、記録動作等を操作できる。
【００４５】
静止画像の再生時には、メモリカード２１６等から静止画像データが読み出され、静止画像処理回路２１４で復号化等の処理が施されて再生画像データ得られる。この再生画像データはシステム制御ＣＰＵ２２０および動画像処理回路２１５を介してＬＣＤコントローラ２３２に供給され、ＬＣＤパネル２３３に、静止画像が表示される。
【００４６】
動画像の再生時には、記録再生回路２１７により記録メディア２１８から動画像データが読み出され、動画像処理回路２１５で復号化等の処理が施されて再生画像データが得られる。この再生画像データはＬＣＤコントローラ２３２に供給され、ＬＣＤパネル２３３に、動画像が表示される。
【００４７】
静止画像および動画像の再生時には、ＬＣＤコントローラ２３２に、再生動作等をユーザが操作するために使用されるＧＵＩ画面用の表示信号が重畳された再生映像信号が供給され、ＬＣＤパネル２３３にＧＵＩ画面が重畳された撮像画像が表示される。そのため、ユーザは、ＬＣＤパネル２３３上に配置されたタッチパネル２３４を用いて、再生動作等を操作できる。なお、ユーザは、キー２２３を用いても同様に再生動作等を操作できる。
【００４８】
また、メモリカード２１６または記録メディア２１８から再生されたコンテンツデータ（画像データ、音声データ）は、システム制御ＣＰＵ２２０からＨＤＭＩ送信部２０２に送られる。そして、当該コンテンツデータは、ＨＤＭＩ送信部２０２に供給され、ＨＤＭＩ端子２０１に接続されたＨＤＭＩケーブルに送出される。
【００４９】
図３は、テレビ受信機３００の構成例を示している。このテレビ受信機３００は、ＨＤＭＩ端子３０１と、ＨＤＭＩ受信部３０２と、高速データラインインタフェース３０３と、アンテナ端子３１０と、デジタルチューナ３１１と、デマルチプレクサ３１２と、ＭＰＥＧ(Moving Picture Expert Group)デコーダ３１３と、映像・グラフィック処理回路３１４と、パネル駆動回路３１５と、表示パネル３１６と、音声処理回路３１７と、音声増幅回路３１８と、スピーカ３１９とを有している。
また、テレビ受信機３００は、内部バス３３０と、ＣＰＵ３３１と、フラッシュＲＯＭ３３２と、ＤＲＡＭ３３３と、リモコン受信部３３４と、リモコン送信機３３５と、イーサネットインタフェース（Ethernet I/F）３３６と、ネットワーク端子３３７とを有している。
【００５０】
ＣＰＵ３３１は、テレビ受信機３００の各部の動作を制御する。フラッシュＲＯＭ３３２は、制御ソフトウェアの格納およびデータの保管を行う。ＤＲＡＭ３３３は、ＣＰＵ３３１のワークエリア等を構成する。ＣＰＵ３３１は、フラッシュＲＯＭ３３２から読み出したソフトウェアやデータをＤＲＡＭ３３３上に展開してソフトウェアを起動し、テレビ受信機３００の各部を制御する。ＣＰＵ３３１、フラッシュＲＯＭ３３２およびＤＲＡＭ３３３は、内部バス３３０に接続されている。
【００５１】
リモコン受信部３３４は、リモコン送信機３３５から送信された、例えば赤外線のリモートコントロール信号（リモコンコード）を受信し、ＣＰＵ３３１に供給する。ユーザは、リモコン送信機３３５を操作することで、テレビ受信機３００の操作、さらにはこのテレビ受信機３００にＨＤＭＩケーブルで接続されているその他のＣＥＣ対応機器の操作を行うことができる。
【００５２】
アンテナ端子３１０は、受信アンテナ（図示しない）で受信されたテレビ放送信号を入力する端子である。デジタルチューナ３１１は、アンテナ端子３１０に入力されたテレビ放送信号を処理して、ユーザの選択チャネルに対応した所定のトランスポートストリームを出力する。デマルチプレクサ３１２は、デジタルチューナ３１１で得られたトランスポートストリームから、ユーザの選択チャネルに対応した、パーシャルＴＳ（Transport Stream）（映像データのＴＳパケット、音声データのＴＳパケット）を抽出する。
【００５３】
また、デマルチプレクサ３１２は、デジタルチューナ３１１で得られたトランスポートストリームから、ＰＳＩ／ＳＩ(Program Specific Information/Service Information)を取り出し、ＣＰＵ３３１に出力する。デジタルチューナ３１１で得られたトランスポートストリームには、複数のチャネルが多重化されている。デマルチプレクサ３１２で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００５４】
ＭＰＥＧデコーダ３１３は、デマルチプレクサ３１２で得られる映像データのＴＳパケットにより構成される映像ＰＥＳ(Packetized Elementary Stream)パケットに対してデコード処理を行って映像データを得る。また、ＭＰＥＧデコーダ３１３は、デマルチプレクサ３１２で得られる音声データのＴＳパケットにより構成される音声ＰＥＳパケットに対してデコード処理を行って音声データを得る。
【００５５】
映像・グラフィック処理回路３１４は、ＭＰＥＧデコーダ３１３で得られた映像データに対して、必要に応じて、スケーリング処理、グラフィックスデータの重畳処理等を行う。パネル駆動回路３１５は、映像・グラフィック処理回路３１４から出力される映像データに基づいて、表示パネル３１６を駆動する。表示パネル３１６は、例えば、ＬＣＤ(Liquid Crystal Display)、ＰＤＰ(Plasma DisplayPanel)等で構成されている。
【００５６】
音声処理回路３１７は、ＭＰＥＧデコーダ３１３で得られた音声データに対してＤ／Ａ変換等の必要な処理を行う。音声増幅回路３１８は、音声処理回路３１７から出力されるアナログ音声信号を増幅してスピーカ３１９に供給する。
【００５７】
ＨＤＭＩ受信部３０２は、ＨＤＭＩに準拠した通信により、ＨＤＭＩケーブルからＨＤＭＩ端子に入力される、ベースバンドの画像データ（映像信号）および音声データ（音声信号）を受信する。このＨＤＭＩ受信部３０２の詳細は後述する。
【００５８】
高速データラインインタフェース３０３は、上述したように、ＨＤＭＩ端子３０１に接続されるＨＤＭＩケーブルの所定ライン（この実施の形態においては、リザーブラインおよびＨＰＤライン）により構成された双方向通信路のインタフェースである。この高速データラインインタフェース３０３は、イーサネットインタフェース３３６とＨＤＭＩ端子３０１との間に挿入されている。なお、イーサネットインタフェース３３６には、ネットワーク端子３３７が接続されている。
【００５９】
高速データラインインタフェース３０３は、ＣＰＵ３３１からイーサネットインタフェース３３６を介して供給される送信データを、ＨＤＭＩ端子３０１からＨＤＭＩケーブルに出力する。また、この高速データラインインタフェース３０３は、ＨＤＭＩケーブルからＨＤＭＩ端子３０１を介して受信された受信データを、イーサネットインタフェース３３６を介してＣＰＵ３３１に供給する。この高速データラインインタフェース３０３の詳細は後述する。
【００６０】
図３に示すテレビ受信機３００の動作を簡単に説明する。アンテナ端子３１０に入力されるテレビ放送信号はデジタルチューナ３１１に供給される。このデジタルチューナ３１１では、テレビ放送信号が処理されて、ユーザの選択チャネルに対応したトランスポートストリームが得られる。このトランスポートストリームは、デマルチプレクサ３１２に供給される。デマルチプレクサ３１２では、トランスポートストリームから、ユーザの選択チャネルに対応した、パーシャルＴＳ（映像データのＴＳパケット、音声データのＴＳパケット）が抽出される。このパーシャルＴＳは、ＭＰＥＧデコーダ３１３に供給される。
【００６１】
ＭＰＥＧデコーダ３１３では、映像データのＴＳパケットにより構成される映像ＰＥＳパケットに対してデコード処理が行われて映像データが得られる。この映像データは、映像・グラフィック処理回路３１４において、必要に応じて、スケーリング処理、グラフィックスデータの重畳処理等が行われた後に、パネル駆動回路３１５に供給される。そのため、表示パネル３１６には、ユーザの選択チャネルに対応した画像が表示される。
【００６２】
また、ＭＰＥＧデコーダ３１３では、音声データのＴＳパケットにより構成される音声ＰＥＳパケットに対してデコード処理が行われて音声データが得られる。この音声データは、音声処理回路３１７でＤ／Ａ変換等の必要な処理が行われ、さらに、音声増幅回路３１８で増幅された後に、スピーカ３１９に供給される。そのため、スピーカ３１９から、ユーザの選択チャネルに対応した音声が出力される。
【００６３】
また、ＨＤＭＩ受信部３０２では、ＨＤＭＩケーブルを介してＨＤＭＩ端子３０１に入力される映像および音声のデータが得られる。映像データは映像・グラフィック処理回路３１４に供給される。音声データは、音声処理回路３１７に供給される。以降は、上述したテレビ放送信号の受信時と同様の動作となり、表示パネル３１６に画像が表示され、スピーカ３１９から音声が出力される。
【００６４】
図４は、ソース機器（ビデオカメラレコーダ２００）のＨＤＭＩ送信部（ＨＤＭＩソース）と、シンク機器（テレビ受信機３００）のＨＤＭＩ受信部（ＨＤＭＩシンク）の構成例を示している。
【００６５】
ＨＤＭＩ送信部は、一の垂直同期信号から次の垂直同期信号までの区間から、水平帰線区間および垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部に一方向に送信するとともに、水平帰線区間または垂直帰線区間において、少なくとも画像に付随する音声データや制御データ、その他の補助データ等に対応する差動信号を、複数のチャネルで、ＨＤＭＩ受信部に一方向に送信する。
【００６６】
すなわち、ＨＤＭＩ送信部は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブルを介して接続されているＨＤＭＩ受信部に、一方向にシリアル伝送する。
【００６７】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブルを介して接続されているＨＤＭＩ受信部に、一方向にシリアル伝送する。
【００６８】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブルを介して接続されているＨＤＭＩ受信部に送信する。ここで、１つのＴＭＤＳチャネル＃ｉ（ｉ＝０，１，２）では、ピクセルクロックの１クロックの間に、１０ビットの画素データが送信される。
【００６９】
ＨＤＭＩ受信部は、アクティブビデオ区間において、複数のチャネルで、ＨＤＭＩ送信部から一方向に送信されてくる、画素データに対応する差動信号を受信するとともに、水平帰線区間または垂直帰線区間において、複数のチャネルで、ＨＤＭＩ送信部から一方向に送信されてくる、音声データや制御データに対応する差動信号を受信する。
【００７０】
すなわち、ＨＤＭＩ受信部は、レシーバ８２を有する。レシーバ８２は、ＴＭＤＳチャネル＃０，＃１，＃２で、ＨＤＭＩケーブルを介して接続されているＨＤＭＩ送信部から一方向に送信されてくる、画素データに対応する差動信号と、音声データや制御データに対応する差動信号を、同じくＨＤＭＩ送信部からＴＭＤＳクロックチャネルで送信されてくるピクセルクロックに同期して受信する。
【００７１】
ＨＤＭＩ送信部とＨＤＭＩ受信部とからなるＨＤＭＩシステムの伝送チャネルには、ＨＤＭＩ送信部からＨＤＭＩ受信部に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【００７２】
ＤＤＣ８３は、ＨＤＭＩケーブルに含まれる図示せぬ２本の信号線からなり、ＨＤＭＩ送信部が、ＨＤＭＩケーブルを介して接続されたＨＤＭＩ受信部から、Ｅ−ＥＤＩＤ（Enhanced Extended Display Identification Data）を読み出すために使用される。
【００７３】
すなわち、ＨＤＭＩ受信部は、ＨＤＭＩレシーバ８２の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部は、ＨＤＭＩケーブルを介して接続されているＨＤＭＩ受信部から、当該ＨＤＭＩ受信部のＥ−ＥＤＩＤを、ＤＤＣ８３を介して読み出し、そのＥ−ＥＤＩＤに基づき、例えば、ＨＤＭＩ受信部を有する電子機器が対応している画像のフォーマット（プロファイル）、例えば、ＲＧＢ、ＹＣbＣr４：４：４、ＹＣbＣr４：２：２等を認識する。
【００７４】
ＣＥＣライン８４は、ＨＤＭＩケーブルに含まれる図示せぬ１本の信号線からなり、ＨＤＭＩ送信部とＨＤＭＩ受信部との間で、制御用のデータの双方向通信を行うのに用いられる。
【００７５】
また、ＨＤＭＩケーブルには、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブルには、ソース機器からシンク機器に電源を供給するために用いられるライン８７が含まれている。さらに、ＨＤＭＩケーブルには、リザーブライン８８が含まれている。
【００７６】
図５は、図４のＨＤＭＩトランスミッタ８１とＨＤＭＩレシーバ８２の構成例を示している。
【００７７】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【００７８】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【００７９】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００８０】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００８１】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００８２】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００８３】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００８４】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００８５】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【００８６】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【００８７】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【００８８】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【００８９】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【００９０】
図６は、ＨＤＭＩの３つのＴＭＤＳチャネル＃０，＃１，＃２で各種の伝送データが伝送される伝送区間（期間）の例を示している。なお、図６は、ＴＭＤＳチャネル＃０，＃１，＃２において、横×縦が７２０×４８０画素のプログレッシブの画像が伝送される場合の、各種の伝送データの区間を示している。
【００９１】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【００９２】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（verticalblanking）、並びに、ビデオフィールド区間から、水平ブランキング期間および垂直ブランキング期間を除いた区間であるアクティブビデオ区間（Active Video）に分けられる。
【００９３】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００９４】
データアイランド区間およびコントロール区間は、水平ブランキング期間および垂直ブランキング期間に割り当てられる。このデータアイランド区間およびコントロール区間では、補助データ（Auxiliary data）が伝送される。
【００９５】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００９６】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００９７】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【００９８】
図７は、ＨＤＭＩ端子のピン配列を示している。このピン配列は、タイプＡ（type-A）の例である。
【００９９】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【０１００】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ（SerialData）信号が伝送されるラインは、ピン番号が１６であるピンに接続され、ＳＤＡ信号の送受信時の同期に用いられるクロック信号であるＳＣＬ（Serial Clock）信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１０１】
また、上述したようにソース機器がシンク機器の接続を検出するためのライン８６は、ピン番号が１９であるピンに接続される。また、上述したように電源を供給するためのライン８７は、ピン番号が１８であるピンに接続される。
【０１０２】
図８は、ソース機器およびシンク機器の高速データラインインタフェースの構成例を示している。この高速データラインインタフェースは、ＬＡＮ（Local Area Network）通信を行う通信部を構成する。この通信部は、ＨＤＭＩケーブルを構成する複数のラインのうち、１対の差動ライン、この実施の形態においては、空き（Reserve）ピン（１４ピン）に対応したリザーブライン（Ether−ライン）、およびＨＰＤピン（１９ピン）に対応したＨＰＤライン（Ether＋ライン）により構成された双方向通信路を用いて、通信を行う。
【０１０３】
ソース機器は、ＬＡＮ信号送信回路１１、終端抵抗１２、ＡＣ結合容量１３，１４、ＬＡＮ信号受信回路１５、減算回路１６、プルアップ抵抗２１、ローパスフィルタを構成する抵抗２２および容量２３、比較器２４、プルダウン抵抗３１、ローパスフィルタを形成する抵抗３２および容量３３、並びに比較器３４を有している。ここで、高速データラインインタフェース（高速データラインＩ／Ｆ）は、ＬＡＮ信号送信回路１１、終端抵抗１２、ＡＣ結合容量１３，１４、ＬＡＮ信号受信回路１５、減算回路１６により構成されている。
【０１０４】
電源線（＋５．０Ｖ）と接地線との間には、プルアップ抵抗２１、ＡＣ結合容量１３、終端抵抗１２、ＡＣ結合容量１４およびプルダウン抵抗３１の直列回路が接続される。ＡＣ結合容量１３と終端抵抗１２の互いの接続点Ｐ１は、ＬＡＮ信号送信回路１１の正出力側に接続されると共に、ＬＡＮ信号受信回路１５の正入力側に接続される。また、ＡＣ結合容量１４と終端抵抗１２の互いの接続点Ｐ２は、ＬＡＮ信号送信回路１１の負出力側に接続されると共に、ＬＡＮ信号受信回路１５の負入力側に接続される。ＬＡＮ信号送信回路１１の入力側には、送信信号（送信データ）ＳＧ11が供給される。
【０１０５】
また、減算回路１６の正側端子には、ＬＡＮ信号受信回路１５の出力信号ＳＧ12が供給され、この減算回路１６の負側端子には、送信信号（送信データ）ＳＧ11が供給される。この減算回路１６では、ＬＡＮ信号受信回路１５の出力信号ＳＧ12から送信信号ＳＧ11が減算され、受信信号（受信データ）ＳＧ13が得られる。
【０１０６】
また、プルアップ抵抗２１およびＡＣ結合容量１３の互いの接続点Ｑ１は、抵抗２２および容量２３の直列回路を介して接地線に接続される。そして、抵抗２２および容量２３の互いの接続点に得られるローパスフィルタの出力信号は比較器２４の一方の入力端子に供給される。この比較器２４では、ローパスフィルタの出力信号が他方の入力端子に供給される基準電圧Ｖref1（＋３．７５Ｖ）と比較される。この比較器２４の出力信号ＳＧ14は、ソース機器の制御部（ＣＰＵ）に供給される。
【０１０７】
また、ＡＣ結合容量１４およびプルダウン抵抗３１の互いの接続点Ｑ２は、抵抗３２および容量３３の直列回路を介して接地線に接続される。そして、抵抗３２および容量３３の互いの接続点に得られるローパスフィルタの出力信号は比較器３４の一方の入力端子に供給される。この比較器３４では、ローパスフィルタの出力信号が他方の入力端子に供給される基準電圧Ｖref2（＋１．４Ｖ）と比較される。この比較器３４の出力信号ＳＧ15は、ソース機器の制御部（ＣＰＵ）に供給される。
【０１０８】
シンク機器は、ＬＡＮ信号送信回路４１、終端抵抗４２、ＡＣ結合容量４３，４４、ＬＡＮ信号受信回路４５、減算回路４６、プルダウン抵抗５１、ローパスフィルタを構成する抵抗５２および容量５３、比較器５４、チョークコイル６１、抵抗６２、並びに抵抗６３を有している。ここで、高速データラインインタフェース（高速データラインＩ／Ｆ）は、ＬＡＮ信号送信回路４１、終端抵抗４２、ＡＣ結合容量４３，４４、ＬＡＮ信号受信回路４５、減算回路４６により構成されている。
【０１０９】
電源線（＋５．０Ｖ）と接地線との間には、抵抗６２および抵抗６３の直列回路が接続される。そして、この抵抗６２と抵抗６３の互いの接続点と、接地線との間には、チョークコイル６１、ＡＣ結合容量４４、終端抵抗４２、ＡＣ結合容量４３およびプルダウン抵抗５１の直列回路が接続される。
【０１１０】
ＡＣ結合容量４３と終端抵抗４２の互いの接続点Ｐ３は、ＬＡＮ信号送信回路４１の正出力側に接続されると共に、ＬＡＮ信号受信回路４５の正入力側に接続される。また、ＡＣ結合容量４４と終端抵抗４２の互いの接続点Ｐ４は、ＬＡＮ信号送信回路４１の負出力側に接続されると共に、ＬＡＮ信号受信回路４５の負入力側に接続される。ＬＡＮ信号送信回路４１の入力側には、送信信号（送信データ）ＳＧ17が供給される。
【０１１１】
また、減算回路４６の正側端子には、ＬＡＮ信号受信回路４５の出力信号ＳＧ18が供給され、この減算回路４６の負側端子には、送信信号ＳＧ17が供給される。この減算回路４６では、ＬＡＮ信号受信回路４５の出力信号ＳＧ18から送信信号ＳＧ17が減算され、受信信号（受信データ）ＳＧ19が得られる。
【０１１２】
また、プルダウン抵抗５１およびＡＣ結合容量４３の互いの接続点Ｑ３は、抵抗５２および容量５３の直列回路を介して接地線に接続される。そして、抵抗５２および容量５３の互いの接続点に得られるローパスフィルタの出力信号は比較器５４の一方の入力端子に供給される。この比較器５４では、ローパスフィルタの出力信号が他方の入力端子に供給される基準電圧Ｖref3（＋１．２５Ｖ）と比較される。この比較器５４の出力信号ＳＧ16は、シンク機器の制御部（ＣＰＵ）に供給される。
【０１１３】
ＨＤＭＩケーブルに含まれるリザーブライン７１およびＨＰＤライン７２は、差動ツイストペアを構成している。リザーブライン７１のソース側端７３は、ソース機器のＨＤＭＩ端子の１４ピンに接続され、当該リザーブライン７１のシンク側端７５はシンク機器のＨＤＭＩ端子の１４ピンに接続される。また、ＨＰＤライン７２のソース側端７４はソース機器のＨＤＭＩ端子の１９ピンに接続され、当該ＨＰＤライン７２のシンク側端７６はシンク機器のＨＤＭＩ端子の１９ピンに接続される。
【０１１４】
ソース機器において、上述したプルアップ抵抗２１とＡＣ結合容量１３の互いの接続点Ｑ１は、ＨＤＭＩ端子の１４ピンに接続され、また、上述したプルダウン抵抗３１とＡＣ結合容量１４の互いの接続点Ｑ２はＨＤＭＩ端子の１９ピンに接続される。一方、シンク機器において、上述したプルダウン抵抗５１とＡＣ結合容量４３の互いの接続点Ｑ３はＨＤＭＩ端子の１４ピンに接続され、また、上述したチョークコイル６１とＡＣ結合容量４４の互いの接続点Ｑ４はＨＤＭＩ端子の１９ピンに接続される。
【０１１５】
次に、上述したように構成された、高速データラインインタフェースによるＬＡＮ通信の動作を説明する。
【０１１６】
ソース機器において、送信信号（送信データ）ＳＧ11はＬＡＮ信号送信回路１１の入力側に供給され、このＬＡＮ信号送信回路１１から送信信号ＳＧ11に対応した差動信号（正出力信号、負出力信号）が出力される。そして、ＬＡＮ信号送信回路１１から出力される差動信号は、接続点Ｐ１，Ｐ２に供給され、ＨＤＭＩケーブルの１対のライン（リザーブライン７１、ＨＰＤライン７２）を通じて、シンク機器に送信される。
【０１１７】
また、シンク機器において、送信信号（送信データ）ＳＧ17はＬＡＮ信号送信回路４１の入力側に供給され、このＬＡＮ信号送信回路４１から送信信号ＳＧ17に対応した差動信号（正出力信号、負出力信号）が出力される。そして、ＬＡＮ信号送信回路４１から出力される差動信号は、接続点Ｐ３，Ｐ４に供給され、ＨＤＭＩケーブルの１対のライン（リザーブライン７１、ＨＰＤライン７２）を通じて、ソース機器に送信される。
【０１１８】
また、ソース機器において、ＬＡＮ信号受信回路１５の入力側は接続点Ｐ１，Ｐ２に接続されていることから、当該ＬＡＮ信号受信回路１５の出力信号ＳＧ12として、ＬＡＮ信号送信回路１１から出力された差動信号（電流信号）に対応した送信信号と、上述したようにシンク機器から送信されてくる差動信号に対応した受信信号との加算信号が得られる。減算回路１６では、ＬＡＮ信号受信回路１５の出力信号ＳＧ12から送信信号ＳＧ11が減算される。そのため、この減算回路１６の出力信号ＳＧ13は、シンク機器の送信信号（送信データ）ＳＧ17に対応したものとなる。
【０１１９】
また、シンク機器において、ＬＡＮ信号受信回路４５の入力側は接続点Ｐ３，Ｐ４に接続されていることから、当該ＬＡＮ信号受信回路４５の出力信号ＳＧ18として、ＬＡＮ信号送信回路４１から出力された差動信号（電流信号）に対応した送信信号と、上述したようにソース機器から送信されてくる差動信号に対応した受信信号との加算信号が得られる。減算回路４６では、ＬＡＮ信号受信回路４５の出力信号ＳＧ18から送信信号ＳＧ17が減算される。そのため、この減算回路４６の出力信号ＳＧ19は、ソース機器の送信信号（送信データ）ＳＧ11に対応したものとなる。
【０１２０】
このように、ソース機器の高速データラインインタフェースと、シンク機器の高速データラインインタフェースとの間では、双方向のＬＡＮ通信を行うことができる。
【０１２１】
なお、図８において、ＨＰＤライン７２は、上述のＬＡＮ通信の他に、ＤＣバイアスレベルで、ＨＤＭＩケーブルがシンク機器に接続されたことをソース機器に伝達する。すなわち、シンク機器内の抵抗６２，６３とチョークコイル６１は、ＨＤＭＩケーブルがシンク機器に接続されるとき、ＨＰＤライン７２を、ＨＤＭＩ端子の１９ピンを介して、約４Ｖにバイアスする。ソース機器は、ＨＰＤライン７２のＤＣバイアスを、抵抗３２と容量３３からなるローパスフィルタで抽出し、比較器３４で基準電圧Vref2（例えば、１．４Ｖ）と比較する。
【０１２２】
ソース機器のＨＤＭＩ端子の１９ピンの電圧は、ＨＤＭＩケーブルがシンク機器に接続されていなければ、プルダウン抵抗３１が存在するために基準電圧Ｖref2より低く、逆に、ＨＤＭＩケーブルがシンク機器に接続されていれば基準電圧Ｖref2より高い。したがって、比較器３４の出力信号ＳＧ15は、ＨＤＭＩケーブルがシンク機器に接続されているときは高レベルとなり、そうでないときは低レベルとなる。これにより、ソース機器の制御部（ＣＰＵ）は、比較器３４の出力信号ＳＧ15に基づいて、ＨＤＭＩケーブルがシンク機器に接続されたか否かを認識できる。
【０１２３】
また、図８において、リザーブライン７１のＤＣバイアス電位で、ＨＤＭＩケーブルの両端に接続された機器が、ＬＡＮ通信が可能な機器（以下、「ｅ−ＨＤＭＩ対応機器」という）であるか、ＬＡＮ通信が不可能な機器（以下、「ｅ−ＨＤＭＩ非対応機器」かを、相互に認識する機能を有している。
【０１２４】
上述したように、ソース機器はリザーブライン７１を抵抗２１でプルアップ（＋５Ｖ）し、シンク機器はリザーブライン７１を抵抗５１でプルダウンする。抵抗２１，５１は、ｅ−ＨＤＭＩ非対応機器には存在しない。
【０１２５】
ソース機器は、上述したように、比較器２４で、抵抗２２および容量２３からなるローパスフィルタを通過したリザーブライン７１のＤＣ電位を基準電圧Ｖref1と比較する。シンク機器が、ｅ−ＨＤＭＩ対応機器でプルダウン抵抗５１があるときには、リザーブライン７１の電圧が２．５Ｖとなる。しかし、シンク機器が、ｅ−ＨＤＭＩ非対応機器でプルダウン抵抗５１がないときには、リザーブライン７１の電圧がプルアップ抵抗２１の存在により５Ｖとなる。
【０１２６】
そのため、基準電圧Ｖref1が例えば３．７５Ｖとされることで、比較器２４の出力信号ＳＧ14は、シンク機器がｅ−ＨＤＭＩ対応機器であるときは低レベルとなり、そうでないときは高レベルとなる。これにより、ソース機器の制御部（ＣＰＵ）は、比較器２４の出力信号ＳＧ14に基づいて、シンク機器がｅ−ＨＤＭＩ対応機器であるか否かを認識できる。
【０１２７】
同様に、シンク機器は、上述したように、比較器５４で、抵抗５２および容量５３からなるローパスフィルタを通過したリザーブライン７１のＤＣ電位を基準電圧Ｖref3と比較する。ソース機器が、ｅ−ＨＤＭＩ対応機器でプルアップ抵抗２１があるときには、リザーブライン７１の電圧が２．５Ｖとなる。しかし、ソース機器が、ｅ−ＨＤＭＩ非対応機器でプルアップ抵抗２１がないときには、リザーブライン７１の電圧がプルダウン抵抗５１の存在により０Ｖとなる。
【０１２８】
そのため、基準電圧Ｖref3が例えば１．２５Ｖとされることで、比較器５４の出力信号ＳＧ16は、ソース機器がｅ−ＨＤＭＩ対応機器であるときは高レベルとなり、そうでないときは低レベルとなる。これにより、シンク機器の制御部（ＣＰＵ）は、比較器５４の出力信号ＳＧ16に基づいて、ソース機器がｅ−ＨＤＭＩ対応機器であるか否かを認識できる。
【０１２９】
図８に示す構成例によれば、１本のＨＤＭＩケーブルで映像と音声のデータ伝送と接続機器情報の交換および認証と機器制御データの通信とＬＡＮ通信を行うインタフェースにおいて、ＬＡＮ通信が１対の差動伝送路を介した双方向通信で行われ、伝送路のうちの少なくとも片方のＤＣ（直流）バイアス電位によってインタフェースの接続状態が通知されることから、物理的にＳＣＬライン、ＳＤＡラインをＬＡＮ通信につかわない空間的分離を行うことが可能となる。その結果、ＤＤＣに関して規定された電気的仕様と無関係にＬＡＮ通信のための回路を形成することができ、安定で確実なＬＡＮ通信が安価に実現できる。
【０１３０】
なお、図８に示したプルアップ抵抗２１が、ソース機器内ではなく、ＨＤＭＩケーブル内に設けられているようにしてもよい。そのような場合、プルアップ抵抗２１の端子のそれぞれは、ＨＤＭＩケーブル内に設けられたラインのうち、リザーブライン７１、および電源（電源電位）に接続されるライン（信号線）のそれぞれに接続される。
【０１３１】
さらに、図８に示したプルダウン抵抗５１および抵抗６３がシンク機器内ではなく、ＨＤＭＩケーブル内に設けられているようにしてもよい。そのような場合、プルダウン抵抗５１の端子のそれぞれは、ＨＤＭＩケーブル内に設けられたラインのうち、リザーブライン７１、およびグランド（基準電位）に接続されるライン（グランド線）のそれぞれに接続される。また、抵抗６３の端子のそれぞれは、ＨＤＭＩケーブル内に設けられたラインのうち、ＨＰＤライン７２、およびグランド（基準電位）に接続されるライン（グランド線）のそれぞれに接続される。
【０１３２】
図１に示すＡＶシステム１００において、ビデオカメラレコーダ２００の再生時において、メモリカード２１６または記録メディア２１８から再生されたコンテンツデータ（画像データ、音声データ）が、システム制御ＣＰＵ２２０からＨＤＭＩ送信部２０２に送られる。そして、当該コンテンツデータは、ＨＤＭＩ送信部２０２から、ＨＤＭＩケーブル７０１のＴＭＤＳラインを介して、テレビ受信機３００のＨＤＭＩ受信部３０２に送信される。
【０１３３】
テレビ受信機３００において、ＨＤＭＩ受信部３０２で受信された映像データは映像・グラフィック処理回路３１４に供給される。また、ＨＤＭＩ受信部３０２で受信された音声データは、音声処理回路３１７に供給される。これにより、表示パネル３１６にはビデオカメラレコーダ２００の再生画像が表示され、スピーカ３１９からはビデオカメラレコーダ２００の再生音声が出力される。
【０１３４】
また、図１のＡＶシステム１００においては、ビデオカメラレコーダ２００からテレビ受信機３００に、上述の再生コンテンツデータに同期した表示処理を行うための処理情報が送信されてくる。ビデオカメラレコーダ２００において、この処理情報は、システム制御ＣＰＵ２２０から、イーサネットインタフェース２３６を通じて、高速データラインインタフェース２０３に送られる。そして、この処理情報は、高速データラインインタフェース２０３から、ＨＤＭＩケーブル７０１内の双方向通信路を介して、テレビ受信機３００の高速データラインインタフェース３０３に送信される。
【０１３５】
ここで、処理情報に含まれる撮影場所、撮影日時等の表示内容を示す情報は、ビデオカメラレコーダ２００において、メモリカード２１６、記録メディア２１８に、各コンテンツデータに関連付けされて記録されている。例えば、撮影日時は自動的に記録され、撮影場所やメモ等はユーザの入力操作により記録される。システム制御ＣＰＵ２２０は、メモリカード２１６、記録メディア２１８から撮影場所、撮影日時等の表示内容を示す情報を読み出して、上述のコンテンツデータに同期した表示処理を行うための処理情報を作成する。
【０１３６】
ビデオカメラレコーダ２００からテレビ受信機３００への処理情報の送信は、例えば、ビデオカメラレコーダ２００からテレビ受信機３００への上述の再生コンテンツデータの送信に先だって行われる。テレビ受信機３００において、高速データラインインタフェース３０３で受信された処理情報は、イーサネットインタフェース３３６を介して、ＣＰＵ３３１に供給され、例えば、ＤＲＡＭ３３３に格納される。この処理情報には、上述したように、処理単位毎に、インデックス情報、例えばインデックス番号が付加されている。
【０１３７】
一方、ＨＤＭＩ受信部３０２で受信されたコンテンツデータ（画像データ、音声データ）には、各処理単位の処理情報による処理のタイミングに合わせて、当該処理情報に付加されているインデックス情報に対応したインデックス情報が付加されている。コンテンツデータに付加されているインデックス情報は、ＨＤＭＩ受信部３０２で取り出されて、ＣＰＵ３３１に送られる。
【０１３８】
ここで、コンテンツデータに対するインデックス情報の付加方法について説明する。
【０１３９】
（１）既存のVendor Specific InfoFrameパケットを用いる。
【０１４０】
図９は、Vendor Specific InfoFrameパケットの構造を示している。このVendorSpecific InfoFrameパケットは、上述したデータアイランド区間に配置される。VendorSpecific Payload により、インデックス情報であること、およびインデックス情報を伝送する。
【０１４１】
（２）既存Formatに拡張定義を設け、General Control パケット等の空きbitの多い既存のパケットを利用する。
【０１４２】
図１０（ａ）は、General Control パケットヘッダのデータ構造を示し、図１０（ｂ）は、GeneralControl サブパケットのデータ構造を示している。このGeneral Control パケットも、上述したデータアイランド区間に配置される。例えば、定義が割り当てられていないＳＢ３以降に、インデックス情報の定義を割り当てることができる。
【０１４３】
（３）新たなパケットを定義する。
【０１４４】
図１１（ａ）は、追加InfoFrameパケットヘッダのデータ構造の一例を示し、図１１（ｂ）は、InfoFrameパケットコンテンツのデータ構造を示している。この追加InfoFrameパケットも、上述したデータアイランド区間に配置される。この追加InfoFrameパケットのコンテンツ領域により、インデックス情報であること、およびインデックス情報を伝送する。
【０１４５】
ＣＰＵ３３１は、上述したようにＨＤＭＩ受信部３０２からインデックス情報が送られてくる場合には、例えば、図１２のフローチャートに示す手順で処理動作を行う。ＣＰＵ３３１は、情報処理部を構成している。
【０１４６】
すなわち、ＣＰＵ３３１は、ステップＳＴ１において、ＨＤＭＩ受信部３０２からインデックス情報を受信すると、ステップＳＴ２の処理に移る。このステップＳＴ２において、ＣＰＵ３３１は、ＤＲＡＭ３３３に格納されている処理情報に対して検索処理を行って、ステップＳＴ１で受信されたインデックス情報に対応したインデックス情報が付加されている、特定の処理単位の処理情報を取得する。
【０１４７】
次に、ＣＰＵ３３１は、ステップＳＴ３において、ステップＳＴ２で取得された処理情報に基づいて、当該処理情報に含まれる撮影場所、撮影日時等の情報に基づいて表示データを生成し、映像・グラフィック処理回路３１４で、画像データに重畳する。これにより、表示パネル３１６に表示される画像に、当該画像に対応した撮影場所、撮影日時等の情報が重ねて表示される。ＣＰＵ３３１は、ステップＳＴ３の処理の後、ステップＳＴ４において、処理を終了する。
【０１４８】
次に、テレビ受信機３００における表示処理の一例を説明する。図１３（ａ）は、ビデオカメラレコーダ２００からテレビ受信機３００に双方向通信路で送信される処理情報を示している。第１〜第３の各処理単位にインデックス番号１〜３が付加されている。なお、インデックス番号１〜３は、処理情報が表示処理を行うための処理情報であることを示す情報でもある。インデックス番号１の表示処理における表示内容は「１２月５日  我孫子」である。また、インデックス番号２の表示処理における表示内容は「７月８日  那覇」である。また、インデックス番号３の表示処理における表示内容は「３月３０日  品川」である。
【０１４９】
図１３（ｂ）は、ビデオカメラレコーダ２００からテレビ受信機３００にＴＭＤＳラインで送信されるコンテンツデータに付加されているインデックス番号と、表示画像とのタイミング関係を示している。インデックス番号１は、画像Ａを表示する画像データに付加されている。インデックス番号２は、画像Ｂを表示する画像データに付加されている。インデックス番号３は、画像Ｃを表示する画像データに付加されている。なお、画像Ａ、画像Ｂ、画像Ｃは、それぞれ、静止画像、あるいは動画像を構成する所定の画像である。
【０１５０】
図１４は、テレビ受信機３００におけるインデックス番号１〜３の表示処理のタイミングを示している。処理情報は、再生コンテンツデータの再生開始（時点Ｔｓ）に先立って、送信される。
【０１５１】
画像Ａを表示する画像データにはインデックス番号１が付加されている。そのため、テレビ受信機３００では、この画像データの受信タイミング（時点Ｔａ）で、インデックス番号１の表示処理が行われ、画像Ａに「１２月５日  我孫子」の日時、場所の情報が重畳されて表示される。
【０１５２】
また、画像Ｂを表示する画像データにはインデックス番号２が付加されている。そのため、テレビ受信機３００では、この画像データの受信タイミング（時点Ｔｂ）で、インデックス番号２の表示処理が行われ、画像Ｂに「７月８日  那覇」の日時、場所の情報が重畳されて表示される。
【０１５３】
また、画像Ｃを表示する画像データにはインデックス番号３が付加されている。そのため、テレビ受信機３００では、この画像データの受信タイミング（時点Ｔｃ）で、インデックス番号３の表示処理が行われ、画像Ｂに「７月８日  品川」の日時、場所の情報が重畳されて表示される。
【０１５４】
図１５は、テレビ受信機３００の表示パネル３１６の表示例として、上述した画像Ｂに「７月８日  那覇」の日時、場所の情報が重畳された場合の表示例を示している。
【０１５５】
上述したように、図１に示すＡＶシステム１００においては、ビデオカメラレコーダ２００の再生時において、ビデオカメラレコーダ２００からテレビ受信機３００に、ＨＤＭＩケーブル７０１のＴＭＤＳラインを介して、再生コンテンツデータ（画像データ、音声データ）が送信されてくる。また、図１のＡＶシステム１００においては、ビデオカメラレコーダ２００からテレビ受信機３００に、上述の再生コンテンツデータの送信に先立って、ＨＤＭＩケーブル７０１のリザーブラインおよびＨＰＤラインで構成される双方向通信路を介して、再生コンテンツデータに同期した表示処理を行うための処理情報が送信されてくる。
【０１５６】
処理情報には、処理単位毎に、インデックス情報、例えばインデックス番号が付加されている。また、再生コンテンツデータ（画像データ、音声データ）には、各処理単位の処理情報による処理のタイミングに合わせて、当該処理情報に付加されているインデックス情報に対応したインデックス情報、例えばインデックス番号が付加されている。そして、テレビ受信機３００では、受信されたコンテンツデータにおけるインデックス情報の付加タイミングで、当該インデックス情報に対応した表示内容情報を用いた表示処理が行われる。
【０１５７】
したがって、図１に示すＡＶシステム１００においては、テレビ受信機３００において、ビデオカメラレコーダ２００から送信されてくる再生コンテンツデータ（画像データ、音声データ）に同期した、撮像場所、撮像日時等の表示処理を、容易に行うことができる。
【０１５８】
なお、図１に示すＡＶシステム１００において、テレビ受信機３００では、ＨＤＭＩ受信部３０２で受信されたコンテンツデータにインデックス情報が付加されているとき、そのインデックス情報をＨＤＭＩ受信部３０２からＣＰＵ３３１に送信する。そして、ＣＰＵ３３１は、ＤＲＡＭ３３３からそのインデックス情報に対応した処理情報を取得し、当該処理情報に基づいて表示データを生成し、この表示データを、映像・グラフィック処理回路３１４で画像データに重畳する。
【０１５９】
すなわち、テレビ受信機３００では、ＨＤＭＩ受信部３０２で受信されたコンテンツデータにインデックス情報が付加されているとき、ＣＰＵ３３１は、その後から、表示のための処理を開始する。この場合、例えば、ＨＤＭＩ受信部３０２で次に取り出されるインデックス情報が予め予測できれば、予め表示データを作成しておくことができる。これにより、テレビ受信機３００においては、ビデオカメラレコーダ２００から送信されてくる再生コンテンツデータに同期した表示処理を、速やかに行うことができる。
【０１６０】
ここで、ビデオカメラレコーダ２００からテレビ受信機３００に、次に、再生コンテンツデータに付加されて送られると予測されるインデックス情報を示す情報（以下、「予測次インデックス情報」という）を、再生コンテンツデータに付加して送信することが考えられる。
【０１６１】
例えば、図１６は、ビデオカメラレコーダ２００の再生時における、ＬＣＤパネル２３３の表示例を示している。この表示例においては、再生画像が表示される他に、「次のファイル」および「前のファイル」の再生ファイルの選択釦、さらには再生ファイルに対応したサムネイルが表示されている。
【０１６２】
ユーザは、カーソルＣＡを「次のファイル」の選択釦上に移動して決定操作をすることで、現在再生中のファイルの次のファイルの再生を指示できる。また、ユーザは、カーソルＣＡを「前のファイル」の選択釦上に移動して決定操作をすることで、現在再生中のファイルの前のファイルの再生を指示できる。また、ユーザは、カーソルＣＡを所定のサムネイル上に移動して決定操作をすることで、当該所定のサムネイルに対応したファイルの再生を指示できる。
【０１６３】
ビデオカメラレコーダ２００においては、例えば、図１６に示すように、カーソルＣＡが「次のファイル」の選択釦上にあるときには、以下の予測次インデックス情報が、テレビ受信機３００に送信される。この場合、最初に、次のファイルの再生コンテンツデータに付加されて送信されるインデックス情報を示す予測次インデックス情報が、現在再生されているファイルの再生コンテンツデータに付加されて送信される。その次に、前のファイルの再生コンテンツデータに付加されて送信されるインデックス情報を示す予測次インデックス情報が、現在再生されているファイルの再生コンテンツデータに付加されて送信される。
【０１６４】
例えば、現在の再生ファイルに対応したインデックス情報が「０８」であり、次のファイルに対応したインデックス情報が「０９」であり、さらに前のファイルに対応したインデックス情報が「０７」であるときは、以下のように送信される。すなわち、最初に送信される予測次インデックス情報は「０９」を示すものであり、その次に送信される予測次インデックス情報は「０７」を示すものとされる。
【０１６５】
また、ビデオカメラレコーダ２００においては、例えば、カーソルＣＡが「前のファイル」の選択釦上にあるときには、以下の予測次インデックス情報が、テレビ受信機３００に送信される。この場合、最初に、前のファイルの再生コンテンツデータに付加されて送信されるインデックス情報を示す予測次インデックス情報が、現在再生されているファイルの再生コンテンツデータに付加されて送信される。その次に、次のファイルの再生コンテンツデータに付加されて送信されるインデックス情報を示す予測次インデックス情報が、現在再生されているファイルの再生コンテンツデータに付加されて送信される。
【０１６６】
また、ビデオカメラレコーダ２００においては、例えば、図１７に示すように、カーソルＣＡがインデックス情報「５６」の再生ファイルに対応したサムネイル上にあるときには、以下の予測次インデックス情報が、テレビ受信機３００に送信される。この場合、最初に、インデックス情報「５６」を示す予測次インデックス情報が、現在再生されているファイルの再生コンテンツデータに付加されて送信される。その次に、インデックス情報「５５」示す予測次インデックス情報、さらには、インデックス情報「５７」示す予測次インデックス情報が、現在再生されているファイルの再生コンテンツデータに付加されて送信される。
【０１６７】
インデックス情報および予測次インデックス情報の送信は、例えば、上述したように、新たなInfoFrameパケットを定義して行うことができる（図１１参照）。例えば、インデックス情報が有効であるときは、Data Byte1のbit[7]が「１」とされ、予測次インデックス情報の伝送であるときは、Data Byte1のbit[0]が「１」とされる。また、例えば、予測次インデックス情報の伝送であるとき、Data Byte2のbit[7:0]で、優先順位が表される。そして、Data Byte3 以降にインデックス情報（インデックス番号）が格納される。
【０１６８】
図１８は、新たなInfoFrameの一例を示している。このInfoFrameパケットにおいては、Data Byte1のbit[7]が「１」であるので、インデックス情報が有効であることが分かる。また、Data Byte1のbit[0]が「１」であるので、予測次インデックス情報の伝送であることが分かる。また、Data Byte2のbit[7:0]から、この予測次インデックス情報の優先順位は第２位であることが分かる。
【０１６９】
ビデオカメラレコーダ２００からテレビ受信機３００に送信されてくる再生コンテンツデータに、上述したように、インデックス情報の他に、予測次インデックス情報も付加されている場合、テレビ受信機３００において、これらインデックス情報および予測次インデックス情報はＨＤＭＩ受信部３０２で取り出されてＣＰＵ３３１に送信される。
【０１７０】
ＣＰＵ３３１は、ＨＤＭＩ受信部３０２から予測次インデックス情報が送信されてくる場合には、例えば、図１９のフローチャートに示す手順で処理動作を行う。
【０１７１】
すなわち、ＣＰＵ３３１は、ステップＳＴ１１において、ＨＤＭＩ受信部３０２から予測次インデックス情報を受信すると、ステップＳＴ１２の処理に移る。このステップＳＴ１２において、ＣＰＵ３３１は、処理情報が格納されているＤＲＡＭ３３３に格納されている処理情報に対して検索処理を行って、ステップＳＴ１１で受信された予測次インデックス情報に対応したインデックス情報が付加されている、特定の処理単位の処理情報を取得する。
【０１７２】
次に、ＣＰＵ３３１は、ステップＳＴ１３において、ステップＳＴ１２で取得された処理情報に基づいて、当該処理情報に含まれる撮影場所、撮影日時等の情報に基づいて表示データを生成し、例えば、ＤＲＡＭ３３３に保持する。ＣＰＵ３３１は、ステップＳＴ１３の処理の後、ステップＳＴ１４において、処理を終了する。
【０１７３】
また、ＣＰＵ３３１は、ＨＤＭＩ受信部３０２からインデックス情報が送られてくる場合には、例えば、図２０のフローチャートに示す手順で処理動作を行う。
【０１７４】
すなわち、ＣＰＵ３３１は、ステップＳＴ２１において、ＨＤＭＩ受信部３０２からインデックス情報を受信すると、ステップＳＴ２２の処理に移る。このステップＳＴ２２において、ＣＰＵ３３１は、予測次インデックス情報に基づいて、既に、対応する表示データが生成されているか否かを判断する。
【０１７５】
既に表示データが生成されているとき、ＣＰＵ３３１は、ステップＳＴ２３において、映像・グラフィック処理回路３１４で、画像データに表示データを重畳する。これにより、表示パネル３１６に表示される画像に、当該画像に対応した撮影場所、撮影日時等の情報が重ねて表示される。ＣＰＵ３３１は、ステップＳＴ２３の処理の後、ステップＳＴ２４において、処理を終了する。
【０１７６】
また、ステップＳＴ２２で表示データが生成されていないとき、ＣＰＵ３３１は、ステップＳＴ２５の処理に移る。このステップＳＴ２５において、ＣＰＵ３３１は、ＤＲＡＭ３３３に格納されている処理情報に対して検索処理を行って、ステップＳ２１で受信されたインデックス情報に対応したインデックス情報が付加されている、特定の処理単位の処理情報を取得する。
【０１７７】
次に、ＣＰＵ３３１は、ステップＳＴ２６において、ステップＳＴ２５で取得された処理情報に基づいて、当該処理情報に含まれる撮影場所、撮影日時等の情報に基づいて表示データを生成する。そして、ＣＰＵ３３１は、ステップＳＴ２３において、映像・グラフィック処理回路３１４で、表示データを画像データに重畳し、その後に、ステップＳＴ２４において、処理を終了する。これにより、表示パネル３１６に表示される画像に、当該画像に対応した撮影場所、撮影日時等の情報が重ねて表示される。
【０１７８】
図２１は、上述したように、ビデオカメラレコーダ２００からインデックス情報および予測次インデックス情報が送られてくる場合における、テレビ受信機３００の処理動作の一例を示している。この例は、図１６に示すように、カーソルＣＡが「次のファイル」の選択釦上に置かれる場合に対応した例である。
【０１７９】
ビデオカメラレコーダ２００からのインデックス情報［０８］の受信タイミング（Ｔ１）では、このインデックス情報［０８］に対応した処理情報がＤＲＡＭ３３３から取得され、その処理情報に基づいて表示データが生成されて、画像データに重畳される。
【０１８０】
その後、予測次インデックス情報［０９］の受信タイミング（Ｔ２）で、インデックス情報［０９］に対応した処理情報がＤＲＡＭ３３３から取得され、その処理情報に基づいて表示データが生成されて、ＤＲＡＭ３３３に保持される。また、予測次インデックス情報［０７］の受信タイミング（Ｔ３）で、インデックス情報［０７］に対応した処理情報がＤＲＡＭ３３３から取得され、その処理情報に基づいて表示データが生成されて、ＤＲＡＭ３３３に保持される。
【０１８１】
その後、ビデオカメラレコーダ２００からのインデックス情報［０９］の受信タイミング（Ｔ4）では、既に、予測次インデックス情報［０９］に基づいてインデックス情報［０９］に対応した表示データが生成されてＤＲＡＭに保持されている。そのため、この受信タイミング（Ｔ4）では、単に、ＤＲＡＭ３３３から表示データが取り出されて、画像データに重畳される。
【０１８２】
以下、予測次インデックス情報［１０］の受信タイミング（Ｔ５）および予測次インデックス情報［０８］の受信タイミング（Ｔ６）でも、同様に、表示データが生成保持され、その後のインデックス情報の受信に備えられる。
【０１８３】
上述したように、ビデオカメラレコーダ２００からテレビ受信機３００に、予測次インデックス情報が送信されることで、テレビ受信機３００では、予め対応する処理情報に基づいて表示データを生成しておくことができる。これにより、テレビ受信機３００においては、ビデオカメラレコーダ２００から送信されてくる再生コンテンツデータに同期した表示処理を、速やかに行うことが可能となる。
【０１８４】
次に、この発明の他の実施の形態について説明する。図２２は、他の実施の形態としてのＡＶシステム１００Ａの構成例を示している。このＡＶシステム１００Ａにおいて、図１に示すＡＶシステム１００と対応する部分には同一符号を付し、適宜、その詳細説明を省略する。
【０１８５】
このＡＶシステム１００Ａは、ディスクレコーダ４００と、テレビ受信機３００とを有している。ディスクレコーダ４００は、ＨＤＭＩのソース機器を構成している。テレビ受信機３００は、ＨＤＭＩのシンク機器を構成している。
【０１８６】
ディスクレコーダ４００は、ＨＤＭＩケーブル７０１を介して、テレビ受信機３００に接続されている。ディスクレコーダ４００には、ＨＤＭＩ送信部（ＨＤＭＩＴＸ）４０２および高速データラインインタフェース４０３が接続されたＨＤＭＩ端子４０１が設けられている。テレビ受信機３００には、ＨＤＭＩ受信部（ＨＤＭＩ ＲＸ）３０２および高速データラインインタフェース３０３が接続されたＨＤＭＩ端子３０１が設けられている。ＨＤＭＩケーブル７０１の一端はディスクレコーダ４００のＨＤＭＩ端子４０１に接続され、このＨＤＭＩケーブル７０１の他端はテレビ受信機３００のＨＤＭＩ端子３０１に接続されている。
【０１８７】
図２２に示すＡＶシステム１００Ａにおいて、ディスクレコーダ４００からテレビ受信機３００に、再生されたコンテンツデータ（画像データ、音声データ）が送信される。このコンテンツデータは、ディスクレコーダ４００のＨＤＭＩ送信部４０２から、ＨＤＭＩケーブル７０１のＴＭＤＳラインを介して、テレビ受信機３００のＨＤＭＩ受信部３０２に送信される。テレビ受信機３００には、ディスクレコーダ４００から送られてくるコンテンツデータにより、画像が表示され、音声が出力される。ここで、ＨＤＭＩケーブル７０１は、第１の伝送路を構成している。ＨＤＭＩ送信部４０２はデータ送信部を構成し、ＨＤＭＩ受信部３０２はデータ受信部を構成している。
【０１８８】
また、図２２に示すＡＶシステム１００Ａにおいて、ディスクレコーダ４００からテレビ受信機３００に、コンテンツデータに同期した処理、この実施の形態においては、音声のミューティング処理を行うための処理情報（ミューティング設定情報、ミューティング解除情報等）が送信される。この処理情報は、ディスクレコーダ４００からテレビ受信機３００に、ＨＤＭＩケーブル７０１のリザーブラインおよびＨＰＤラインを用いて構成される双方向通信路を介して送信される。ここで、双方向通信路は、第２の伝送路を構成している。ディスクレコーダ４００の高速データラインインタフェース４０３およびテレビ受信機３００の高速データラインインタフェース３０３は、上述の双方向通信路のインタフェースである。高速データラインインタフェース４０３は情報送信部を構成し、高速データラインインタフェース３０３は情報受信部を構成している。
【０１８９】
ディスクレコーダ４００からテレビ受信機３００に送信される処理情報には、処理単位毎に、インデックス情報、例えばインデックス番号が付加される。そして、ディスクレコーダ４００からテレビ受信機３００に送信されるコンテンツデータには、各処理単位の処理情報による処理のタイミングに合わせて、当該処理情報に付加されているインデックス情報に対応したインデックス情報が付加される。
【０１９０】
図２２に示すＡＶシステム１００Ａにおいては、上述したように、テレビ受信機３００には、ディスクレコーダ４００から送信されてくる音声データによる音声が出力される。図２２に示すＡＶシステム１００Ａにおいては、再生コンテンツデータに付加されたインデックス情報に基づいて、音声ミューティングが制御される。例えば、あるインデックス情報が付加されたフレームタイミングで、当該インデックス情報が付加されている処理単位の処理情報に基づいて、音声ミューティングが設定され、あるいは、音声ミューティングが解除される。
【０１９１】
なお、テレビ受信機３００において、ユーザによるミューティングモードのＯＮ／ＯＦＦ設定を可能とし、ミューティングモードがＯＮ状態に設定されているとき、上述したように、再生コンテンツデータに付加されたインデックス情報に基づいて、音声ミューティングが制御される、ようにしてもよい。
【０１９２】
図２３は、ディスクレコーダ４００の構成例を示している。このディスクレコーダ４００は、ＨＤＭＩ端子４０１と、ＨＤＭＩ送信部４０２と、高速データラインインタフェース４０３と、アンテナ端子４１０と、デジタルチューナ４１１と、デマルチプレクサ４１２と、記録部インタフェース４１３と、ＤＶＤ／ＢＤドライブ４１４と、ＨＤＤ（Hard Disk Drive）４１５とを有している。
【０１９３】
また、ディスクレコーダ４００は、ＭＰＥＧデコーダ４１６と、グラフィック生成回路４１７と、映像出力端子４１８と、音声出力端子４１９と、ディスクレコーダ４００は、内部バス４２０と、ＣＰＵ４２１と、フラッシュＲＯＭ４２２と、ＤＲＡＭ４２３と、イーサネットインタフェース（Ethernet I/F）４２４と、ネットワーク端子４２５とを有している。
【０１９４】
アンテナ端子４１０は、受信アンテナ（図示しない）で受信されたテレビ放送信号を入力する端子である。デジタルチューナ４１１は、アンテナ端子４１０に入力されるテレビ放送信号を処理して、所定のトランスポートストリームを出力する。デマルチプレクサ４１２は、デジタルチューナ４１１で得られたトランスポートストリームから、所定の選択チャネルに対応した、パーシャルＴＳ（Transport Stream）（映像データのＴＳパケット、音声データのＴＳパケット）を抽出する。
【０１９５】
また、デマルチプレクサ４１２は、デジタルチューナ４１１で得られたトランスポートストリームから、ＰＳＩ／ＳＩ（Program Specific Information/Service Information）を取り出し、ＣＰＵ４２１に出力する。デジタルチューナ４１１で得られたトランスポートストリームには複数のチャネルが多重化されている。デマルチプレクサ４１２で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【０１９６】
ＣＰＵ４２１、フラッシュＲＯＭ４２２、ＤＲＡＭ４２３、デマルチプレクサ４１２、イーサネットインタフェース４２４、および記録部インタフェース４１８は、内部バス４２０に接続されている。ＤＶＤ／ＢＤドライブ４１４およびＨＤＤ４１５は、記録部インタフェース４１３を介して内部バス４２０に接続されている。ＤＶＤ／ＢＤドライブ４１４およびＨＤＤ４１５は、デマルチプレクサ４１２で抽出されたパーシャルＴＳを記録する。また、ＤＶＤ／ＢＤドライブ４１４およびＨＤＤ４１５は、それぞれ、記録媒体に記録されているパーシャルＴＳを再生する。
【０１９７】
ＭＰＥＧデコーダ４１６は、デマルチプレクサ４１２で抽出された、あるいは、ＤＶＤ／ＢＤドライブ４１４またはＨＤＤ４１５で再生されたパーシャルＴＳを構成する映像ＰＥＳパケットに対してデコード処理を行って映像データを得る。また、ＭＰＥＧデコーダ４１６は、当該パーシャルＴＳを構成する音声ＰＥＳパケットに対してデコード処理を行って音声データを得る。
【０１９８】
グラフィック生成回路４１７は、ＭＰＥＧデコーダ４１６で得られた映像データに対して、必要に応じてグラフィックスデータの重畳処理等を行う。映像出力端子４１８は、グラフィック生成回路４１７から出力される映像データを出力する。音声出力端子４１９は、ＭＰＥＧデコーダ４１６で得られた音声データを出力する。
【０１９９】
ＣＰＵ４２１は、ディスクレコーダ４００の各部の動作を制御する。フラッシュＲＯＭ４２２は、制御ソフトウェアの格納およびデータの保管を行う。ＤＲＡＭ４２３は、ＣＰＵ４２１のワークエリアを構成する。ＣＰＵ４２１は、フラッシュＲＯＭ４２２から読み出したソフトウェアやデータをＤＲＡＭ４２３上に展開してソフトウェアを起動させ、ディスクレコーダ４００の各部を制御する。
【０２００】
ＤＶＤ／ＢＤドライブ４１４またはＨＤＤ４１５の再生時、ＭＰＥＧデコーダ４１６で得られた映像及び音声のデータは、ＨＤＭＩ送信部４０１に供給される。ＨＤＭＩ送信部４０２は、ＨＤＭＩに準拠した通信により、ベースバンドの画像データ（映像信号）および音声データ（音声信号）を、ＨＤＭＩ端子４０１からＨＤＭＩケーブルに送出する。詳細説明は省略するが、ＨＤＭＩ送信部４０２は、上述したビデオカメラレコーダ２００のＨＤＭＩ送信部２０２（図２、図４参照）と同様に構成されている。
【０２０１】
高速データラインインタフェース４０３は、上述したように、ＨＤＭＩ端子４０１に接続されるＨＤＭＩケーブルの所定ライン（この実施の形態においては、リザーブラインおよびＨＰＤライン）により構成された双方向通信路のインタフェースである。この高速データラインインタフェース４０３は、イーサネットインタフェース４２４とＨＤＭＩ端子４０１との間に挿入されている。なお、イーサネットインタフェース４２４には、ネットワーク端子４２５が接続されている。詳細説明は省略するが、高速データラインインタフェース４０３は、上述したビデオカメラレコーダ２００の高速データラインインタフェース２０３（図２、図８参照）と同様に構成されている。
【０２０２】
図２３に示すディスクレコーダ４００の動作を説明する。
【０２０３】
アンテナ端子４１０に入力されるテレビ放送信号はデジタルチューナ４１１に供給される。このデジタルチューナ４１１では、テレビ放送信号を処理して、所定のトランスポートストリームが取り出され、当該所定のトランスポートストリームはデマルチプレクサ４１２に供給される。このデマルチプレクサ４１２では、トランスポートストリームから、所定のチャネルに対応した、パーシャルＴＳ（映像データのＴＳパケット、音声データのＴＳパケット）が抽出される。このパーシャルＴＳは、記録部インタフェース４１３を介してＤＶＤ／ＢＤドライブ４１４、あるいはＨＤＤ４１５に供給され、ＣＰＵ４２１からの記録指示に基づいて記録される。
【０２０４】
また、上述したようにデマルチプレクサ４１２で抽出されるパーシャルＴＳ、または、ＤＶＤ／ＢＤドライブ４１４、あるいはＨＤＤ４１５で再生されるパーシャルＴＳは、ＭＰＥＧデコーダ４１６に供給される。このＭＰＥＧデコーダ４１６では、映像データのＴＳパケットにより構成される映像ＰＥＳパケットに対してデコード処理が行われて映像データが得られる。この映像データは、グラフィック生成回路４１７でグラフィックスデータの重畳処理等が行われた後に、映像出力端子４１８に出力される。また、ＭＰＥＧデコーダ４１６では、音声データのＴＳパケットにより構成される音声ＰＥＳパケットに対してデコード処理が行われて音声データが得られる。この音声データは、音声出力端子４１９に出力される。
【０２０５】
ＤＶＤ／ＢＤドライブ４１４、あるいはＨＤＤ４１５で再生されたパーシャルＴＳに対応してＭＰＥＧデコーダ４１６で得られた画像および音声のデータはＨＤＭＩ送信部４０２に供給され、ＨＤＭＩ端子４０１に接続されたＨＤＭＩケーブルに送出される。
【０２０６】
図２２に示すＡＶシステム１００Ａにおいて、ディスクレコーダ４００の再生時において、ＤＶＤ／ＢＤドライブ４１４、あるいはＨＤＤ４１５で再生されたコンテンツデータ（画像データ、音声データ）が、ＭＰＥＧデコーダ４１６からＨＤＭＩ送信部４０２に送られる。そして、当該コンテンツデータは、ＨＤＭＩ送信部４０２から、ＨＤＭＩケーブル７０１のＴＭＤＳラインを介して、テレビ受信機３００のＨＤＭＩ受信部３０２に送信される。
【０２０７】
テレビ受信機３００（図３参照）において、ＨＤＭＩ受信部３０２で受信された映像データは映像・グラフィック処理回路３１４に供給される。また、ＨＤＭＩ受信部３０２で受信された音声データは、音声処理回路３１７に供給される。これにより、表示パネル３１６にはディスクレコーダ４００の再生画像が表示され、スピーカ３１９からはディスクレコーダ４００の再生音声が出力される。
【０２０８】
また、図２２のＡＶシステム１００Ａにおいては、ディスクレコーダ４００からテレビ受信機３００に、上述の再生コンテンツデータに同期した音声ミューティング処理を行うための処理情報が送信されてくる。ディスクレコーダ４００において、この処理情報は、ＣＰＵ４２１から、イーサネットインタフェース４２４を通じて、高速データラインインタフェース４０３に送られる。そして、この処理情報は、高速データラインインタフェース４０３から、ＨＤＭＩケーブル７０１内の双方向通信路を介して、テレビ受信機３００の高速データラインインタフェース３０３に送信される。
【０２０９】
ディスクレコーダ４００からテレビ受信機３００への処理情報の送信は、例えば、ディスクレコーダ４００からテレビ受信機３００への上述の再生コンテンツデータの送信に先だって行われる。テレビ受信機３００において、高速データラインインタフェース３０３で受信された処理情報は、イーサネットインタフェース３３６を介して、ＣＰＵ３３１に供給され、例えば、ＤＲＡＭ３３３に格納される。この処理情報には、上述したように、処理単位毎に、インデックス情報、例えばインデックス番号が付加されている。
【０２１０】
一方、ＨＤＭＩ受信部３０２で受信されたコンテンツデータ（画像データ、音声データ）には、各処理単位の処理情報による処理のタイミングに合わせて、当該処理情報に付加されているインデックス情報に対応したインデックス情報が付加されている。コンテンツデータに付加されているインデックス情報は、ＨＤＭＩ受信部３０２で取り出されて、ＣＰＵ３３１に送られる。
【０２１１】
ＣＰＵ３３１は、上述したようにＨＤＭＩ受信部３０２からインデックス情報が送られてくる場合には、ＤＲＡＭ３３３に格納されている処理情報から、当該インデックス情報に対応した特定の処理単位の処理情報を取得する。そして、ＣＰＵ３３１は、取得された処理情報に基づいて、音声ミューティングの処理動作を行う。例えば、ＣＰＵ３３１は、処理情報が音声ミュートを示すとき、音声増幅回路３１８を制御して、ミューティング状態とする。また、ＣＰＵ３３１は、処理情報がノーマルを示すとき、音声増幅回路を制御して、ミューティング状態を解除する。
【０２１２】
次に、テレビ受信機３００におけるミューティング処理の一例を説明する。図２４（ａ）は、ディスクレコーダ４００からテレビ受信機３００に双方向通信路で送信される処理情報を示している。第１、第２の各処理単位にインデックス番号１，２が付加されている。なお、インデックス番号１，２は、処理情報がミューティング処理を行うための処理情報であることを示す情報でもある。インデックス番号１の処理情報は「Normal」、つまりミューティング解除情報である。また、インデックス番号２の処理情報は「Audio Mute」、つまりミューティング設定情報である。
【０２１３】
図２４（ｂ）は、ディスクレコーダ４００からテレビ受信機３００にＴＭＤＳラインで送信されるコンテンツデータに付加されているインデックス番号と、表示画像とのタイミング関係を示している。インデックス番号２は、例えば音声が切り替わる前の画像Ａを表示する画像データに付加されている。インデックス番号１は、音声切り替わり後の画像Ｂを表示する画像データに付加されている。なお、画像Ａ、画像Ｂは、それぞれ、動画像を構成する所定のフレーム画像である。
【０２１４】
図２５は、テレビ受信機３００におけるインデックス番号１，２によるミューティング処理のタイミングを示している。処理情報は、再生コンテンツデータの再生開始（時点Ｔｓ）に先立って、送信される。
【０２１５】
画像Ａを表示する画像データにはインデックス番号２が付加されている。そのため、テレビ受信機３００では、この画像データの受信タイミング（時点Ｔａ）で、インデックス番号２によるミューティング処理、つまりミューティングの設定処理が行われ、音声はミューティング状態となる。
【０２１６】
また、画像Ｂを表示する画像データにはインデックス番号１が付加されている。そのため、テレビ受信機３００では、この画像データの受信タイミング（時点Ｔｂ）で、インデックス番号１によるミューティング処理、つまりミューティング解除処理が行われ、音声は出力状態となる。
【０２１７】
図２５に示すようにミューティングの設定および解除が行われることで、音声切り替わり前に音声はミューティング状態となり、音声切り替わり後にミューティング状態が解除されて音声出力状態となり、音声切り替わり目に発生するポップノイズが抑制される。
【０２１８】
次に、テレビ受信機３００におけるミューティング処理の他の例を説明する。図２６（ａ）は、ディスクレコーダ４００からテレビ受信機３００に双方向通信路で送信される処理情報を示している。第１〜第３の各処理単位にインデックス番号１〜３が付加されている。なお、インデックス番号１〜３は、処理情報がミューティング処理を行うための処理情報であることを示す情報でもある。インデックス番号１の処理情報は「Normal」、つまりミューティング解除情報である。また、インデックス番号３の処理情報は「Audio Mute」、つまりミューティング設定情報である。また、インデックス番号２の処理情報は「X-Frame後にAudio Mute」、つまりｘフレーム後にミューティング設定を行うという情報である。
【０２１９】
図２６（ｂ）は、ディスクレコーダ４００からテレビ受信機３００にＴＭＤＳラインで送信されるコンテンツデータに付加されているインデックス番号と、表示画像とのタイミング関係を示している。インデックス番号３は、例えば音声が切り替わる前の画像Ａを表示する画像データに付加されている。インデックス番号１は、音声切り替わり後の画像Ｂを表示する画像データに付加されている。インデックス番号２は、画像Ａよりｘフレームだけ前の画像Ｃを表示する画像データに付加されている。なお、画像Ａ、画像Ｂ、画像Ｃは、それぞれ、動画像を構成する所定のフレーム画像である。
【０２２０】
図２７は、テレビ受信機３００におけるインデックス番号１〜３によるミューティング処理のタイミングを示している。処理情報は、再生コンテンツデータの再生開始（時点Ｔｓ）に先立って、送信される。
【０２２１】
画像Ｃを表示する画像データにはインデックス番号２が付加されている。そのため、テレビ受信機３００では、この画像データの受信タイミング（時点Ｔａ）で、インデックス番号２によるミューティング処理、例えば、出力レベルを徐々に小さくするフェードアウト処理が行われ、音声はフェードアウト状態となる。
【０２２２】
また、画像Ｃからｘフレーム後の画像Ａを表示する画像データにはインデックス番号３が付加されている。そのため、テレビ受信機３００では、この画像データの受信タイミング（時点Ｔｂ）で、インデックス番号３によるミューティング処理、つまりミューティングの設定処理が行われ、音声はミューティング状態となる。
【０２２３】
また、画像Ｂを表示する画像データにはインデックス番号１が付加されている。そのため、テレビ受信機３００では、この画像データの受信タイミング（時点Ｔｃ）で、インデックス番号１によるミューティング処理、つまりミューティング解除処理が行われ、音声は出力状態となる。
【０２２４】
図２７に示すようにミューティングの設定および解除が行われることで、音声切り替わり前に音声はミューティング状態となり、音声切り替わり後にミューティング状態が解除されて音声出力状態となり、音声切り替わり目に発生するポップノイズが抑制される。
【０２２５】
なお、図２７に示す処理タイミングでは、画像Ｃからｘフレーム後の画像Ａを表示する画像データにインデックス番号３が付加されている。しかし、画像Ｃを表示する画像データに付加されているインデックス番号１の処理情報でｘフレーム後にミューティング設定をすることが明示されている。従って、画像Ａを表示する画像データにインデックス番号３を付加しなくても、画像Ａを表示する画像データのタイミングでミューティング設定を行うことは可能である。
【０２２６】
図２６（ａ）に示すインデックス番号１〜３の送信は、例えば、上述したように、新たなInfoFrameパケットを定義して行うことができる（図１１参照）。例えば、インデックス情報が有効であるときは、Data Byte1のbit[7]が「１」とされ、有効フレーム指定伝送時には、Data Byte1のbit[1]が「１」とされる。また、例えば、有効フレーム指定伝送時であるとき、Data Byte2のbit[7:0]で、有効になるまでのフレーム数が表される。そして、Data Byte3 以降にインデックス情報（インデックス番号）が格納される。
【０２２７】
図２８は、新たなInfoFrameの一例を示している。このInfoFrameパケットにおいては、Data Byte1のbit[7]が「１」であるので、インデックス情報が有効であることが分かる。また、Data Byte1のbit[1]が「１」であるので、有効フレーム指定伝送時であることが分かる。また、Data Byte2のbit[7：0]で、有効になるまでのフレーム数が１６フレームであることが分かる。
【０２２８】
上述したように、図２２に示すＡＶシステム１００Ａにおいては、ディスクレコーダ４００の再生時において、ディスクレコーダ４００からテレビ受信機３００に、ＨＤＭＩケーブル７０１のＴＭＤＳラインを介して、再生コンテンツデータ（画像データ、音声データ）が送信されてくる。また、図２２のＡＶシステム１００Ａにおいては、ディスクレコーダ４００からテレビ受信機３００に、上述の再生コンテンツデータの送信に先立って、ＨＤＭＩケーブル７０１のリザーブラインおよびＨＰＤラインで構成される双方向通信路を介して、再生コンテンツデータに同期したミューティング処理を行うための処理情報が送信されてくる。
【０２２９】
処理情報には、処理単位毎に、インデックス情報、例えばインデックス番号が付加されている。また、再生コンテンツデータ（画像データ、音声データ）には、各処理単位の処理情報による処理のタイミングに合わせて、当該処理情報に付加されているインデックス情報に対応したインデックス情報、例えばインデックス番号が付加されている。そして、テレビ受信機３００では、受信されたコンテンツデータにおけるインデックス情報の付加タイミングで、当該インデックス情報に対応したミューティング処理（ミューティング設定処理、ミューティング解除処理等）が行われる。
【０２３０】
したがって、図２２に示すＡＶシステム１００Ａにおいては、テレビ受信機３００において、ディスクレコーダ４００から送信されてくる再生コンテンツデータ（画像データ、音声データ）に同期した、ミューティング処理を、容易に行うことができる。これにより、例えば、音の切り替わり目に発生するポップノイズを精度よく抑制できる。
【０２３１】
次に、この発明のさらに他の実施の形態について説明する。図２９は、他の実施の形態としてのＡＶシステム１００Ｂの構成例を示している。このＡＶシステム１００Ｂにおいて、図１、図２２に示すＡＶシステム１００，１００Ａと対応する部分には同一符号を付し、適宜、その詳細説明を省略する。
【０２３２】
このＡＶシステム１００Ｂは、ディスクレコーダ４００と、ＡＶアンプ５００と、テレビ受信機３００とを有している。ディスクレコーダ４００は、ＨＤＭＩのソース機器を構成している。ＡＶアンプ５００は、ＨＤＭＩのリピータ機器を構成している。テレビ受信機３００は、ＨＤＭＩのシンク機器を構成している。
【０２３３】
ディスクレコーダ４００で再生される音声信号には、マルチチャネル音声に係るコンテンツも存在するので、テレビ受信機３００が当該マルチチャネル音声を復号化できないときには、図２９に示すように、ディスクレコーダ４００とテレビ受信機３００との間に、リピータ機器としてのＡＶアンプ５００を接続して解決する。ＡＶアンプ５００には、スピーカ群５５０が接続されている。このスピーカ群５５０は、例えば、５．１chサラウンドを実現する、聴取者の正面、右前方、左前方、右後方、左後方に位置するスピーカ、および低音出力用サブウーファスピーカで構成されている。
【０２３４】
ＡＶアンプ５００には、ＨＤＭＩ受信部（ＨＤＭＩＲＸ）５０２および高速データラインインタフェース５０３が接続されたＨＤＭＩ端子５０１が設けられている。また、このＡＶアンプ５００には、ＨＤＭＩ送信部（ＨＤＭＩＴＸ）５０５および高速データラインインタフェース５０６が接続されたＨＤＭＩ端子５０４が設けられている。
【０２３５】
ディスクレコーダ４００とＡＶアンプ５００は、ＨＤＭＩケーブル７０２を介して接続されている。すなわち、ＨＤＭＩケーブル７０２の一端はディスクレコーダ４００のＨＤＭＩ端子４０１に接続され、その他端はＡＶアンプ５００のＨＤＭＩ端子５０１に接続されている。また、ＡＶアンプ５００とテレビ受信機３００は、ＨＤＭＩケーブル７０３を介して接続されている。すなわち、ＨＤＭＩケーブル７０３の一端はＡＶアンプ５００のＨＤＭＩ端子５０４に接続され、その他端はテレビ受信機３００のＨＤＭＩ端子３０１に接続されている。
【０２３６】
図２９に示すＡＶシステム１００Ｂにおいて、ディスクレコーダ４００からＡＶアンプ５００を介してテレビ受信機３００に、再生されたコンテンツデータ（画像データ、音声データ）が送信される。このコンテンツデータは、ディスクレコーダ４００のＨＤＭＩ送信部４０２から、ＨＤＭＩケーブル７０２のＴＭＤＳラインを介して、ＡＶアンプ５００のＨＤＭＩ受信部５０２に送信される。そして、ＡＶアンプ５００のＨＤＭＩ送信部５０５から、ＨＤＭＩケーブル７０３のＴＭＤＳラインを介して、テレビ受信機３００のＨＤＭＩ受信部３０２に送信される。テレビ受信機３００には、ディスクレコーダ４００から送られてくるコンテンツデータにより、画像が表示され、音声が出力される。ここで、ＨＤＭＩケーブル７０２，７０３は、第１の伝送路を構成している。ＨＤＭＩ送信部４０２はデータ送信部を構成している。ＨＤＭＩ受信部５０２，３０２はデータ受信部を構成している。
【０２３７】
なお、ＡＶアンプ５００に接続されているスピーカ群５５０から音声を出力する場合には、ＡＶアンプ５００において、ＨＤＭＩ受信部５０２で受信された音声データが処理されてスピーカ群５５０に供給され、当該スピーカ群５５０において音声が出力される。この場合、テレビ受信機３００は、音声ミューティング状態とされる。
【０２３８】
また、図２９に示すＡＶシステム１００Ｂにおいて、ディスクレコーダ４００からＡＶアンプ５００およびテレビ受信機３００に、コンテンツデータに同期した処理を行うための処理情報が送信される。この実施の形態における処理情報は、音声ミューティング処理、および音声出力等に係る表示処理を行うための処理情報である。
【０２３９】
この処理情報は、ディスクレコーダ４００からＡＶアンプ５００およびテレビ受信機３００に、ＨＤＭＩケーブル７０２，７０３のリザーブラインおよびＨＰＤラインを用いて構成される双方向通信路を介して送信される。ここで、双方向通信路は、第２の伝送路を構成している。ディスクレコーダ４００の高速データラインインタフェース４０３、ＡＶアンプ５００の高速データラインインタフェース５０３，５０６、およびテレビ受信機３００の高速データラインインタフェース３０３は、上述の双方向通信路のインタフェースである。高速データラインインタフェース４０３は情報送信部を構成している。高速データラインインタフェース５０３，３０３は情報受信部を構成している。
【０２４０】
図２９に示すＡＶシステム１００Ｂにおいては、上述したように、テレビ受信機３００で、ディスクレコーダ４００からの画像データによる画像が表示される。また、図２９に示すＡＶシステム１００Ｂにおいては、上述したように、テレビ受信機３００またはＡＶアンプ５００で、ディスクレコーダ４００からの音声データによる音声が出力される。
【０２４１】
図２９に示すＡＶシステム１００Ｂにおいては、再生コンテンツデータに付加されたインデックス情報に基づいて、テレビ受信機３００およびＡＶアンプ５００の音声ミューティングが制御される。例えば、あるインデックス情報が付加されたフレームタイミングで、当該インデックス情報が付加されている処理単位の処理情報に基づいて、音声ミューティングが設定され、あるいは、音声ミューティングが解除される。
【０２４２】
また、図２９に示すＡＶシステム１００Ｂにおいては、テレビ受信機３００の表示画像に重ねて、再生コンテンツデータに付加されたインデックス情報に基づいて、例えば、ＡＶアンプ５００で再生している方式等が、適宜なタイミングで表示される。
【０２４３】
図３０は、ＡＶアンプ５００の構成例を示している。このＡＶアンプ５００は、ＨＤＭＩ端子５０１，５０４と、ＨＤＭＩ受信部５０２と、ＨＤＭＩ送信部５０５と、高速データラインインタフェース５０３，５０６とを有している。また、このＡＶアンプ５００は、音声処理回路５１０と、音声増幅回路５１１と、音声出力端子５１２と、内部バス５２０と、ＣＰＵ５２１と、フラッシュＲＯＭ５２２と、ＤＲＡＭ５２３と、イーサネットインタフェース５２４と、ネットワーク端子５２５とを有している。
【０２４４】
ＣＰＵ５２１は、ＡＶアンプ５００の各部の動作を制御する。フラッシュＲＯＭ５２２は、制御ソフトウェアの格納およびデータの保管を行う。ＤＲＡＭ５２３は、ＣＰＵ５２１のワークエリア等を構成する。ＣＰＵ５２１は、フラッシュＲＯＭ５２２から読み出したソフトウェアやデータをＤＲＡＭ５２３上に展開してソフトウェアを起動し、ＡＶアンプ５００の各部を制御する。ＣＰＵ５２１、フラッシュＲＯＭ５２２、ＤＲＡＭ５２３およびイーサネットインタフェース５２４は、内部バス５２０に接続されている。
【０２４５】
ＨＤＭＩ受信部５０２は、ＨＤＭＩに準拠した通信により、ＨＤＭＩ端子５０１に接続されている外部機器（ソース機器）から一方向に送信されてくるベースバンドの映像と音声のデータを受信する。ＨＤＭＩ受信部５０２は、音声データを音声増幅回路５１１に供給すると共に、画像と音声のデータをＨＤＭＩ送信部５０５に供給する。
【０２４６】
ＨＤＭＩ送信部５０５は、ＨＤＭＩに準拠した通信により、ＨＤＭＩ受信部５０２から供給されたベースバンドの画像と音声のデータをＨＤＭＩ端子５０４から送出する。これにより、ＡＶアンプ５００はリピータ機能を発揮する。詳細説明は省略するが、ＨＤＭＩ受信部５０２は、上述したテレビ受信機３００のＨＤＭＩ受信部３０２（図３、図４参照）と同様に構成されている。また、詳細説明は省略するが、ＨＤＭＩ送信部５０５は、上述したビデオカメラレコーダ２００のＨＤＭＩ送信部２０２（図２、図４参照）と同様に構成されている。
【０２４７】
音声処理回路５１０は、ＨＤＭＩ受信部５０２受信された音声データを処理して、例えば、５．１chサラウンドを実現するための各チャネルの音声データを生成する処理、所定の音場特性を付与する処理、デジタル信号をアナログ信号に変換する処理等を行う。音声増幅回路５１１は、音声処理回路５１０から出力される各チャネルの音声信号を増幅して、音声出力端子５１２に出力する。なお、図示は省略しているが、音声出力端子５１２には、スピーカ群５５０を構成するフロントレフトスピーカ、フロントライトスピーカ、フロントセンタースピーカ、リアレフトスピーカ、リアライトスピーカおよびサブウーファスピーカが接続されている。
【０２４８】
高速データラインインタフェース５０３，５０６は、上述したように、ＨＤＭＩ端子５０１，５０４に接続されるＨＤＭＩケーブルの所定ライン（この実施の形態においては、リザーブラインおよびＨＰＤライン）により構成された双方向通信路のインタフェースである。この高速データラインインタフェース５０３，５０６は、イーサネットインタフェース５２４とＨＤＭＩ端子５０１，５０４との間に挿入されている。なお、イーサネットインタフェース５２４には、ネットワーク端子５２５が接続されている。詳細説明は省略するが、高速データラインインタフェース５０３，５０６は、上述したビデオカメラレコーダ２００の高速データラインインタフェース２０３（図２、図８参照）と同様に構成されている。
【０２４９】
図３０に示すＡＶアンプ５００の動作を説明する。ＨＤＭＩ受信部５０２では、ＨＤＭＩケーブルを介してＨＤＭＩ端子５０１に入力されるベースバンドの画像および音声のデータが得られる。この画像および音声データは、ＨＤＭＩ送信部５０５に供給され、ＨＤＭＩ端子５０４に接続されたＨＤＭＩケーブルに送出される。
【０２５０】
また、ＨＤＭＩ受信部５０２で受信された音声データは、音声処理回路５１０に供給される。この音声処理回路５１０では、音声データに対して、５．１chサラウンドを実現するための各チャネルの音声データを生成する処理、所定の音場特性を付与する処理、デジタル信号をアナログ信号に変換する処理等の必要な処理が施される。音声処理回路５１０から出力される各チャネルの音声信号は音声増幅回路５１１を介して音声出力端子５１２に出力される。
【０２５１】
なお、図２９に示すＡＶシステム１００Ｂにおいて、ディスクレコーダ４００からの音声データによる音声をテレビ受信機２００のスピーカから出力する場合には、ＣＰＵ３２１により音声増幅回路５２１が制御されてミューティング状態とされる。逆に、図２９に示すＡＶシステム１００Ｂにおいて、ＡＶアンプ５００で音声出力を行う場合には、テレビ受信機２００は音声ミューティング状態とされる。
【０２５２】
図２９に示すＡＶシステム１００Ｂにおいて、ディスクレコーダ４００（図２３参照）の再生時において、ＤＶＤ／ＢＤドライブ４１４、あるいはＨＤＤ４１５で再生されたコンテンツデータ（画像データ、音声データ）が、ＭＰＥＧデコーダ４１６からＨＤＭＩ送信部４０２に送られる。そして、当該コンテンツデータは、ＨＤＭＩ送信部４０２から、ＨＤＭＩケーブル７０２のＴＭＤＳラインを介して、ＡＶアンプ５００のＨＤＭＩ受信部５０２に送信される。さらに、このコンテンツデータは、ＡＶアンプ５００のＨＤＭＩ送信部５０５から、ＨＤＭＩケーブル７０３のＴＭＤＳラインを介して、テレビ受信機３００のＨＤＭＩ受信部３０２に送信される。
【０２５３】
テレビ受信機３００（図３参照）において、ＨＤＭＩ受信部３０２で受信された映像データは映像・グラフィック処理回路３１４に供給される。また、ＨＤＭＩ受信部３０２で受信された音声データは、音声処理回路３１７に供給される。これにより、表示パネル３１６にはディスクレコーダ４００の再生画像が表示され、スピーカ３１９からはディスクレコーダ４００の再生音声が出力される。
【０２５４】
また、図２９のＡＶシステム１００Ｂにおいては、ディスクレコーダ４００からＡＶアンプ５００を介してテレビ受信機３００に、上述の再生コンテンツデータに同期した音声ミューティング処理および表示処理を行うための処理情報が送信されてくる。ディスクレコーダ４００（図２３参照）において、この処理情報は、ＣＰＵ４２１から、イーサネットインタフェース４２４を通じて、高速データラインインタフェース４０３に送られる。
【０２５５】
そして、この処理情報は、高速データラインインタフェース４０３から、ＨＤＭＩケーブル７０２内の双方向通信路を介して、ＡＶアンプ５００の高速データラインインタフェース５０３に送信される。さらに、この処理情報は、ＡＶアンプ５００の高速データラインインタフェース５０６から、ＨＤＭＩケーブル７０３内の双方向通信路を介して、テレビ受信機３００の高速データラインインタフェース３０３に送信される。
【０２５６】
ディスクレコーダ４００からテレビ受信機３００への処理情報の送信は、例えば、ディスクレコーダ４００からテレビ受信機３００への上述の再生コンテンツデータの送信に先だって行われる。テレビ受信機３００において、高速データラインインタフェース３０３で受信された処理情報は、イーサネットインタフェース３３６を介して、ＣＰＵ３３１に供給され、例えば、ＤＲＡＭ３３３に格納される。この処理情報には、上述したように、処理単位毎に、インデックス情報、例えばインデックス番号が付加されている。
【０２５７】
一方、ＨＤＭＩ受信部３０２で受信されたコンテンツデータ（画像データ、音声データ）には、各処理単位の処理情報による処理のタイミングに合わせて、当該処理情報に付加されているインデックス情報に対応したインデックス情報が付加されている。コンテンツデータに付加されているインデックス情報は、ＨＤＭＩ受信部３０２で取り出されて、ＣＰＵ３３１に送られる。
【０２５８】
ＣＰＵ３３１は、上述したようにＨＤＭＩ受信部３０２からインデックス情報が送られてくる場合には、ＤＲＡＭ３３３に格納されている処理情報から、当該インデックス情報に対応した特定の処理単位の処理情報を取得する。そして、ＣＰＵ３３１は、取得された処理情報に基づいて、音声ミューティング、あるいは表示の処理動作を行う。例えば、ＣＰＵ３３１は、処理情報が「Mute」であるとき、音声増幅回路３１８を制御して、ミューティング状態とする。また、ＣＰＵ３３１は、処理情報が「None」であるとき、音声増幅回路３１８を制御して、ミューティング状態を解除する。また、ＣＰＵ３３１は、処理情報が表示処理を行うための処理情報であるとき、画像表示に重ねて、音声出力等に係る表示を行う。
【０２５９】
次に、テレビ受信機３００におけるミューティング処理の一例を説明する。図３１（ａ）は、ディスクレコーダ４００からＡＶアンプ５００およびテレビ受信機３００に双方向通信路で送信される処理情報を示している。第１〜第３の各処理単位にインデックス番号１〜３が付加されている。
【０２６０】
なお、インデックス番号１，２は、処理情報がミューティング処理を行うための処理情報であることを示す情報でもある。インデックス番号１の処理情報は「None」、つまりミューティング解除情報である。インデックス番号２の処理情報は「Mute」、つまりミューティング設定情報である。また、インデックス番号３は、処理情報が表示処理を行うための処理情報であることを示す情報でもある。インデックス番号３の処理情報は、インデックス番号３の表示処理における表示内容は「AV Amp active & Dolby 5.1ch 再生」である。
【０２６１】
図３１（ｂ）は、ディスクレコーダ４００からテレビ受信機３００にＴＭＤＳラインで送信されるコンテンツデータに付加されているインデックス番号と、表示画像とのタイミング関係を示している。インデックス番号２，３，１は、それぞれ、画像Ａ、画像Ｂ、画像Ｃを表示する画像データに付加されている。なお、画像Ａ、画像Ｂ、画像Ｃは、それぞれ、動画像を構成する所定のフレーム画像である。
【０２６２】
図３２は、テレビ受信機３００におけるインデックス番号１〜３によるミューティング処理、表示処理のタイミングを示している。処理情報は、再生コンテンツデータの再生開始（時点Ｔｓ）に先立って、送信される。
【０２６３】
画像Ａを表示する画像データにはインデックス番号２が付加されている。そのため、テレビ受信機３００では、この画像データの受信タイミング（時点Ｔａ）で、インデックス番号２によるミューティング処理、つまりミューティングの設定処理が行われ、音声はミューティング状態となる。この場合、音声出力はテレビ出力からＡＶアンプ出力に切り替わる。なお、詳細説明は省略するが、ＡＶアンプ５００では、当該インデックス番号２に基づいて、ミューティング処理、つまりミューティングの解除処理が行われ、音声出力状態となる。
【０２６４】
また、画像Ｂを表示する画像データにはインデックス番号３が付加されている。そのため、テレビ受信機３００では、この画像データの受信タイミング（時点Ｔｂ）で、インデックス番号３による表示処理、つまり、ＡＶアンプ５００の再生方式を示す「AV Amp active & Dolby 5.1ch 再生」の表示が、表示画像に重畳される。
【０２６５】
また、画像Ｃを表示する画像データにはインデックス番号１が付加されている。そのため、テレビ受信機３００では、この画像データの受信タイミング（時点Ｔｃ）で、インデックス番号１によるミューティング処理、つまりミューティング解除処理が行われ、音声は出力状態となる。この場合、「AV Amp active & Dolby 5.1ch 再生」の表示は削除される、またこの場合、音声出力はＡＶアンプ出力からテレビ出力に切り替わる。なお、詳細説明は省略するが、ＡＶアンプ５００では、当該インデックス番号１に基づいて、ミューティング処理、つまりミューティングの設定処理が行われ、音声ミューティング状態となる。
【０２６６】
上述したように、図２９に示すＡＶシステム１００Ｂにおいては、ディスクレコーダ４００の再生時において、ディスクレコーダ４００からＡＶアンプ５００を介してテレビ受信機３００に、ＨＤＭＩケーブル７０２，７０３のＴＭＤＳラインを介して、再生コンテンツデータ（画像データ、音声データ）が送信されてくる。また、図２９のＡＶシステム１００Ｂにおいては、ディスクレコーダ４００からＡＶアンプ５００を介してテレビ受信機３００に、上述の再生コンテンツデータの送信に先立って、ＨＤＭＩケーブル７０２，７０３のリザーブラインおよびＨＰＤラインで構成される双方向通信路を介して、再生コンテンツデータに同期したミューティング処理および表示処理を行うための処理情報が送信されてくる。
【０２６７】
処理情報には、処理単位毎に、インデックス情報、例えばインデックス番号が付加されている。また、再生コンテンツデータ（画像データ、音声データ）には、各処理単位の処理情報による処理のタイミングに合わせて、当該処理情報に付加されているインデックス情報に対応したインデックス情報、例えばインデックス番号が付加されている。そして、テレビ受信機３００およびＡＶアンプ５００では、受信されたコンテンツデータにおけるインデックス情報の付加タイミングで、当該インデックス情報に対応したミューティング処理および表示処理が行われる。
【０２６８】
したがって、図２９に示すＡＶシステム１００Ｂにおいては、テレビ受信機３００およびＡＶアンプ５００において、ディスクレコーダ４００から送信されてくる再生コンテンツデータ（画像データ、音声データ）に同期した、ミューティング処理、表示処理を、容易に行うことができる。
【０２６９】
なお、上述の実施の形態において、ビデオカメラレコーダ２００、あるいはディスクレコーダ４００からテレビ受信機３００等に双方向通信路で送信される処理情報は、コンテンツデータの再生開始前に、予めデオカメラレコーダ２００、あるいはディスクレコーダ４００からテレビ受信機３００等に供給されるように説明した。しかし、この処理情報の送信は随時可能であり、その内容の更新も可能である。
【０２７０】
また、上述実施の形態において、処理情報は、表示処理を行うための処理情報、ミューティング処理を行うための処理情報を示したが、その他のコンテンツデータに同期した処理を行うための処理情報であってもよく、以下の例も考えられる。
【０２７１】
（１）同期を伴うＨＤＭＩ仕様の補足
【０２７２】
ＨＤＭＩ４２２伝送においては、８／１０／１２bit伝送が可能で有るが、語長を示す方法がない。信号語長により、後段回路の処理が異なる場合もあるため、双方向通信路で伝送される処理情報として、ＨＤＭＩ４２２伝送における伝送語長を伝送することにより、語長に適した処理が可能となる。
【０２７３】
（２）同期を伴うＨＤＭＩ機能の補間
【０２７４】
ＨＤＭＩでは、InfoFrameが定義されているが、必須はＡＶＩとAudioのInfoFrameのみであり、他のInfoFrameはシステム制約等により伝送されない場合がある。このように、ＨＤＭＩ送信部もしくはＨＤＭＩ受信部のデバイス制約等により伝送できない場合、必須以外のInfoFrameを、処理情報として伝送することも可能となる。
【０２７５】
また、上述実施の形態においては、ソース機器がビデオカメラレコーダ２００、ディスクレコーダ４００であり、シンク機器がテレビ受信機３００であり、リピータ機器がＡＶアンプ５００である例を示した。しかし、この発明の適用範囲は、これらの機器に限定されない。これらの機器と同様の機器で構成されるその他のＡＶシステムにも、この発明を同様に適用できる。
【０２７６】
また、上述実施の形態においては、各機器ともｅ−ＨＤＭＩ対応機器であって、ビデオカメラレコーダ２００、ディスクレコーダ４００からテレビ受信機３００およびＡＶアンプ５００への処理情報の送信を、ＨＤＭＩケーブル内の双方向通信路を用いて行うものを示した。しかし、この発明は、各機器がｅ−ＨＤＭＩ対応機器でない場合であっても適用できる。その場合には、各機器を別のデジタルインタフェースを介して接続して処理情報を送信することになる。例えば、各機器をネットワーク端子介して接続し、イーサネットを介して処理情報を送信するようにしてもよい。また、処理情報を、通信速度は遅いが、ＣＥＣラインを用いて送信することも考えられる。
【０２７７】
また、上述実施の形態においては、各機器を接続する伝送路として、ＨＤＭＩ規格のインタフェースを前提として説明したが、その他の同様な伝送規格にも適用可能である。また、上述実施の形態においては、機器間をＨＤＭＩケーブルで接続したものを示したが、この発明は、電子機器間の接続を無線で行うものにも、同様に適用できる。
【産業上の利用可能性】
【０２７８】
この発明は、受信側においてコンテンツデータに同期した処理を容易に行うことができるものであり、例えば、ソース機器およびシンク機器が接続されてなるＡＶシステム、あるいはソース機器およびシンク機器がリピータ機器を介して接続されてなるＡＶシステム等に適用できる。
【図面の簡単な説明】
【０２７９】
【図１】この発明の実施の形態としてのＡＶシステムの構成例を示すブロック図である。
【図２】ＡＶシステムを構成するビデオカメラレコーダ（ソース機器）の構成例を示すブロック図である。
【図３】ＡＶシステムを構成するテレビ受信機（シンク機器）の構成例を示すブロック図である。
【図４】ＨＤＭＩ送信部（ＨＤＭＩソース）とＨＤＭＩ受信部（ＨＤＭＩシンク）の構成例を示すブロック図である。
【図５】ＨＤＭＩトランスミッタとＨＤＭＩレシーバの構成例を示すブロック図である。
【図６】ＴＭＤＳ伝送データの構造を示す図である。
【図７】ＨＤＭＩ端子のピン配列（タイプＡ）を示す図である。
【図８】ソース機器およびシンク機器の高速データラインインタフェースの構成例を示す接続図である。
【図９】Vendor Specific InfoFrameパケットの構造を示す図である。
【図１０】General Control パケットヘッダのデータ構造およびGeneralControl サブパケットのデータ構造を示す図である。
【図１１】追加InfoFrameパケットヘッダのデータ構造およびInfoFrameパケットコンテンツのデータ構造の一例を示す図である。
【図１２】テレビ受信機においてＨＤＭＩ受信部からインデックス情報が送られたＣＰＵの処理手順を示すフローチャートである。
【図１３】ビデオカメラレコーダからテレビ受信機に双方向通信路で送信される処理情報、およびビデオカメラレコーダからテレビ受信機にＴＭＤＳラインで送信されるコンテンツデータに付加されているインデックス番号と表示画像とのタイミング関係の一例を示す図である。
【図１４】テレビ受信機におけるインデックス番号１〜３の表示処理のタイミングを示す図である。
【図１５】テレビ受信機の表示パネルに表示された画像に日時、場所の情報が重畳された場合の表示例を示す図である。
【図１６】ビデオカメラレコーダの再生時におけるＬＣＤパネルの表示例（カーソルが「次のファイル」の選択釦上）を示す図である。
【図１７】ビデオカメラレコーダの再生時におけるＬＣＤパネルの表示例（カーソルがサムネイル上）を示す図である。
【図１８】インデックス情報および予測次インデックス情報の送信を行うための新たなInfoFrameパケットのデータ構造の一例を示す図である。
【図１９】テレビ受信機においてＨＤＭＩ受信部から予測次インデックス情報が送信されたＣＰＵの処理手順を示すフローチャートである。
【図２０】テレビ受信機においてＨＤＭＩ受信部からインデックス情報が送られたＣＰＵの処理手順を示すフローチャートである。
【図２１】ビデオカメラレコーダからインデックス情報および予測次インデックス情報が送られてくる場合における、テレビ受信機の処理動作の一例を示す図である。
【図２２】この発明の他の実施の形態としてのＡＶシステムの構成例を示すブロック図である。
【図２３】ＡＶシステムを構成するディスクレコーダ（ソース機器）の構成例を示すブロック図である。
【図２４】ディスクレコーダからテレビ受信機に双方向通信路で送信される処理情報、およびディスクレコーダからテレビ受信機にＴＭＤＳラインで送信されるコンテンツデータに付加されているインデックス番号と表示画像とのタイミング関係の一例を示す図である。
【図２５】テレビ受信機におけるインデックス番号１，２の表示処理のタイミングを示す図である。
【図２６】ディスクレコーダからテレビ受信機に双方向通信路で送信される処理情報、およびディスクレコーダからテレビ受信機にＴＭＤＳラインで送信されるコンテンツデータに付加されているインデックス番号と表示画像とのタイミング関係の一例を示す図である。
【図２７】テレビ受信機におけるインデックス番号１〜３の表示処理のタイミングを示す図である。
【図２８】インデックス番号１〜３の送信を行うための新たなInfoFrameパケットのデータ構造の一例を示す図である。
【図２９】この発明の他の実施の形態としてのＡＶシステムの構成例を示すブロック図である。
【図３０】ＡＶシステムを構成するＡＶアンプ（リピータ機器）の構成例を示すブロック図である。
【図３１】ディスクレコーダからテレビ受信機に双方向通信路で送信される処理情報、およびディスクレコーダからテレビ受信機にＴＭＤＳラインで送信されるコンテンツデータに付加されているインデックス番号と表示画像とのタイミング関係の一例を示す図である。
【図３２】テレビ受信機におけるインデックス番号１〜３の表示処理のタイミングを示す図である。
【符号の説明】
【０２８０】
１００，１００Ａ，１００Ｂ・・・ＡＶシステム、２００・・・ビデオカメラレコーダ、２０１・・・ＨＤＭＩ端子、２０２・・・ＨＤＭＩ送信部、２０３・・・高速データラインインタフェース、３００・・・テレビ受信機、３０１・・・ＨＤＭＩ端子、３０２・・・ＨＤＭＩ受信部、３０３・・・高速データラインインタフェース、４００・・・ディスクレコーダ、４０１・・・ＨＤＭＩ端子、４０２・・・ＨＤＭＩ送信部、４０３・・・高速データラインインタフェース、５００・・・ＡＶアンプ、５０１，５０４・・・ＨＤＭＩ端子、５０２・・・ＨＤＭＩ受信部、５０３，５０６・・・高速データラインインタフェース、５０５・・・ＨＤＭＩ送信部、７０１〜７０３・・・ＨＤＭＩケーブル
【図１】
2009272791.tif 000003
【図２】
2009272791.tif 000004
【図３】
2009272791.tif 000005
【図４】
2009272791.tif 000006
【図５】
2009272791.tif 000007
【図６】
2009272791.tif 000008
【図７】
2009272791.tif 000009
【図８】
2009272791.tif 000010
【図９】
2009272791.tif 000011
【図１０】
2009272791.tif 000012
【図１１】
2009272791.tif 000013
【図１２】
2009272791.tif 000014
【図１３】
2009272791.tif 000015
【図１４】
2009272791.tif 000016
【図１８】
2009272791.tif 000017
【図１９】
2009272791.tif 000018
【図２０】
2009272791.tif 000019
【図２１】
2009272791.tif 000020
【図２２】
2009272791.tif 000021
【図２３】
2009272791.tif 000022
【図２４】
2009272791.tif 000023
【図２５】
2009272791.tif 000024
【図２６】
2009272791.tif 000025
【図２７】
2009272791.tif 000026
【図２８】
2009272791.tif 000027
【図２９】
2009272791.tif 000028
【図３０】
2009272791.tif 000029
【図３１】
2009272791.tif 000030
【図３２】
2009272791.tif 000031
【図１５】
2009272791.tif 000032
【図１６】
2009272791.tif 000033
【図１７】
2009272791.tif 000034